(57)【要約】  【課題】  回転装飾部材の回転に伴って開口部内に変動図柄を変動表示し、各透かし孔内にキャラクタ図柄を変動表示することにより、遊技者を楽しませると共に、各透かし孔を介して遊技の結果を明確に認識できるように報知できる遊技機を提供する。  【解決手段】  ＣＰＵ２６１は、ＣＰＵ２８１からリーチ変動表示の表示パターン情報が入力された場合には、図４７（Ｅ）〜（Ｇ）に示すように、リーチ時回転変動座標テーブル１６２から各回転角度「９０度」に対応する各「第１付属変動領域座標」、「第２付属変動領域座標」、「スクロール方向」の各データを読み出し、各透かし孔２００、２０１内に予告キャラクタ「大吉」を停止表示すると共に、演出表示確定信号が入力された場合には、表示画面の上下方向中央部に「７７７」の各特別図柄１７５Ｅ〜１７７Ｆを確定表示し、各透かし孔２００、２０１内に大当たりを報知する「当たり」を確定表示する。  【選択図】  図４７
2006296652.tif 000002
【特許請求の範囲】
【請求項１】
中央部に略横長四角形の開口部が形成されると共に、前記開口部の相対向する長辺部中央位置の各外側近傍に一対の透かし孔が形成されて回転可能に取り付けられる回転装飾部材と、
前記回転装飾部材を回転駆動する回転手段と、
前記回転装飾部材の回転位置を検出する検出手段と、を有して、遊技盤に取り付けられる裏側装飾部材と、
前記裏側装飾部材の背面部に取り付けられて、前記開口部を介して複数の変動図柄を表示すると共に、前記各透かし孔を介して一対のキャラクタ図柄を変動表示する映像表示装置と、
遊技機の動作状態を制御する主制御手段と、
前記検出手段の検出情報に基づいて前記回転手段を駆動制御する回転制御手段と、
前記映像表示装置を制御する表示制御手段と、
前記映像表示装置に表示される複数の変動図柄の表示パターンを決定するサブ制御手段と、
を備え、
前記主制御手段は、始動口への遊技球の入賞に基づいて複数種類の変動パターンから一の変動パターンを選択する変動パターン選択手段を有し、
前記サブ制御手段は、
前記複数種類の変動パターンのそれぞれに対応して複数種類の表示パターンを記憶する表示パターン記憶手段と、
前記変動パターン選択手段によって選択された変動パターンに対応して一の表示パターンを所定確率で選択する表示パターン選択手段と、
を有し、
前記回転制御手段は、
前記各表示パターンに対応して前記回転装飾部材を複数種類の所定回転位置でそれぞれ予め定められた時間停止させる回転駆動パターンを記憶する回転駆動パターン記憶手段と、
前記表示パターン選択手段によって選択された表示パターンに対応する回転駆動パターンに従って前記回転装飾部材を複数種類の所定回転位置でそれぞれ予め定められた時間停止させるように駆動制御する駆動制御手段と、
を有し、
前記表示制御手段は、
前記回転装飾部材の複数種類の回転位置のそれぞれに対応して前記開口部に対向する略横長四角形の前記変動図柄の変動領域を記憶する変動領域記憶手段と、
前記回転装飾部材の複数種類の回転位置のそれぞれに対応して前記各透かし孔に対向する前記キャラクタ図柄の一対の付属変動領域を記憶する付属変動領域記憶手段と、
前記回転装飾部材の各回転位置のそれぞれに対応して、前記各変動図柄のうちの停止した停止図柄が視認可能に表示される複数の停止図柄表示領域を記憶する図柄表示領域記憶手段と、
前記回転装飾部材の各回転位置に対応する前記各変動図柄及び各キャラクタ図柄のスクロール方向及びスクロール位置を記憶するスクロール情報記憶手段と、
前記各表示パターンに対応して前記回転装飾部材の各回転位置に対応する前記変動領域内に予め定められた時間前記各変動図柄又は前記停止図柄を表示させると共に、該回転装飾部材の各回転位置に対応する前記各付属変動領域内に予め定められた時間前記各キャラクタ図柄を変動表示又は停止表示させる回転表示パターンを記憶する回転表示パターン記憶手段と、
前記表示パターン選択手段によって選択された表示パターンに対応する回転表示パターンに従って前記変動領域及び前記各付属変動領域を順次選択する変動領域選択手段と、
該表示パターンに対応する回転表示パターンに従って前記各変動図柄及び各キャラクタ図柄のスクロール方向及びスクロール位置を順次選択して前記変動領域選択手段によって選択された前記変動領域及び前記各付属変動領域に該各変動図柄及び各キャラクタ図柄を変動表示すると共に、該変動領域と該各付属変動領域とを相互に重ならないように表示するスクロール表示手段と、
該表示パターンに対応する回転表示パターンに従って前記変動領域選択手段によって選択された前記変動領域内で前記開口部から視認できる前記停止図柄表示領域を順次選択して前記停止図柄を該停止表示領域に表示する停止図柄表示手段と、
を有することを特徴とする遊技機。
【請求項２】
前記キャラクタ図柄は、前記複数の変動図柄の確定表示態様を予告する複数種類の予告キャラクタを含み、
前記主制御手段は、前記複数種類の予告キャラクタから一の予告キャラクタを選択する予告キャラクタ選択手段を有し、
前記表示制御手段は、
前記複数種類の予告キャラクタのそれぞれの画像データを記憶する予告キャラクタ記憶手段と、
前記表示パターン選択手段によって選択された表示パターンに対応する回転表示パターンに前記複数の変動図柄の確定表示態様を所定タイミングで予告する予告演出表示パターンが含まれている場合には、前記予告キャラクタ選択手段によって選択された予告キャラクタを該予告演出表示パターンに従って前記各付属変動領域に所定時間表示する予告キャラクタ表示制御手段と、
を有することを特徴とする請求項１に記載の遊技機。
【発明の詳細な説明】
【技術分野】
【０００１】
本発明は、遊技領域に設けられて変動図柄を表示する映像表示装置を備えた遊技機に関するものである。
【背景技術】
【０００２】
従来より、遊技領域に設けられて変動図柄を表示する映像表示装置を備えた遊技機に関して種々提案されている。
例えば、図柄表示装置を備える遊技機であって、図柄表示装置は、主表示装置と、補助表示装置を有し、主表示装置は、変動停止時の表示態様により遊技者に特典の成立の可否を認識させる図柄を変動表示し、補助表示装置は、主表示装置の周囲を回転移動する回転体を有し、補助表示装置の回転体が主表示装置の周囲を回転移動すると、主表示装置に表示される画像が、回転体の回転移動に同期して回転表示されると共に、主表示装置に表示される画像が回転体に同期して回転表示される間、図柄は遊技者と正対する状態で表示され続けるように構成した遊技機が提案されている（例えば、特許文献１参照。）。
【特許文献１】特開２００２−２９２０３２号公報（段落（００３７）、図２９〜図３１）
【発明の開示】
【発明が解決しようとする課題】
【０００３】
しかしながら、上述の遊技機の構成では、主表示装置の周囲を回転移動する回転体に設けられている第２識別情報は、この回転体に印刷されたものであるため、変更することが困難であり、演出効果が損なわれ、遊技者の興趣を増大させることが困難であるという問題がある。
ここで、この問題を解決するために回転体に第２識別情報を表示する液晶表示器等を複数配置して、可変表示することが考えられるが、液晶表示器等を複数配置した場合には、製造コストアップになると共に、耐久性の面から小型化が難しいという問題がある。
また、この回転体に設けられている第２識別情報を可変表示した場合には、複雑な演出表示を行い遊技者を楽しませると共に、遊技者に対して遊技の結果を明確に認識できるように報知する必要があるという問題がある。
【０００４】
そこで、本発明は、上述した問題点を解決するためになされたものであり、映像表示装置の前面側に回転装飾部材を配置すると共に、この回転装飾部材の開口部の相対向する外側近傍に一対の透かし孔を設け、この回転装飾部材の回転に伴って開口部内に変動図柄を変動表示し、各透かし孔内にキャラクタ図柄を変動表示することにより、製造コストの削減化及び回転装飾部材の小型化を図ることが可能となる遊技機を提供することを目的とする。また、各透かし孔を介して複雑な演出表示を行い遊技者を楽しませると共に、各透かし孔を介して遊技者に対して遊技の結果を明確に認識できるように報知できる遊技機を提供することを目的とする。
【課題を解決するための手段】
【０００５】
前記目的を達成するため請求項１に係る遊技機は、中央部に略横長四角形の開口部が形成されると共に、前記開口部の相対向する長辺部中央位置の各外側近傍に一対の透かし孔が形成されて回転可能に取り付けられる回転装飾部材と、前記回転装飾部材を回転駆動する回転手段と、前記回転装飾部材の回転位置を検出する検出手段と、を有して、遊技盤に取り付けられる裏側装飾部材と、前記裏側装飾部材の背面部に取り付けられて、前記開口部を介して複数の変動図柄を表示すると共に、前記各透かし孔を介して一対のキャラクタ図柄を変動表示する映像表示装置と、遊技機の動作状態を制御する主制御手段と、前記検出手段の検出情報に基づいて前記回転手段を駆動制御する回転制御手段と、前記映像表示装置を制御する表示制御手段と、前記映像表示装置に表示される複数の変動図柄の表示パターンを決定するサブ制御手段と、を備え、前記主制御手段は、始動口への遊技球の入賞に基づいて複数種類の変動パターンから一の変動パターンを選択する変動パターン選択手段を有し、前記サブ制御手段は、前記複数種類の変動パターンのそれぞれに対応して複数種類の表示パターンを記憶する表示パターン記憶手段と、前記変動パターン選択手段によって選択された変動パターンに対応して一の表示パターンを所定確率で選択する表示パターン選択手段と、を有し、前記回転制御手段は、前記各表示パターンに対応して前記回転装飾部材を複数種類の所定回転位置でそれぞれ予め定められた時間停止させる回転駆動パターンを記憶する回転駆動パターン記憶手段と、前記表示パターン選択手段によって選択された表示パターンに対応する回転駆動パターンに従って前記回転装飾部材を複数種類の所定回転位置でそれぞれ予め定められた時間停止させるように駆動制御する駆動制御手段と、を有し、前記表示制御手段は、前記回転装飾部材の複数種類の回転位置のそれぞれに対応して前記開口部に対向する略横長四角形の前記変動図柄の変動領域を記憶する変動領域記憶手段と、前記回転装飾部材の複数種類の回転位置のそれぞれに対応して前記各透かし孔に対向する前記キャラクタ図柄の一対の付属変動領域を記憶する付属変動領域記憶手段と、前記回転装飾部材の各回転位置のそれぞれに対応して、前記各変動図柄のうちの停止した停止図柄が視認可能に表示される複数の停止図柄表示領域を記憶する図柄表示領域記憶手段と、前記回転装飾部材の各回転位置に対応する前記各変動図柄及び各キャラクタ図柄のスクロール方向及びスクロール位置を記憶するスクロール情報記憶手段と、前記各表示パターンに対応して前記回転装飾部材の各回転位置に対応する前記変動領域内に予め定められた時間前記各変動図柄又は前記停止図柄を表示させると共に、該回転装飾部材の各回転位置に対応する前記各付属変動領域内に予め定められた時間前記各キャラクタ図柄を変動表示又は停止表示させる回転表示パターンを記憶する回転表示パターン記憶手段と、前記表示パターン選択手段によって選択された表示パターンに対応する回転表示パターンに従って前記変動領域及び前記各付属変動領域を順次選択する変動領域選択手段と、該表示パターンに対応する回転表示パターンに従って前記各変動図柄及び各キャラクタ図柄のスクロール方向及びスクロール位置を順次選択して前記変動領域選択手段によって選択された前記変動領域及び前記各付属変動領域に該各変動図柄及び各キャラクタ図柄を変動表示すると共に、該変動領域と該各付属変動領域とを相互に重ならないように表示するスクロール表示手段と、該表示パターンに対応する回転表示パターンに従って前記変動領域選択手段によって選択された前記変動領域内で前記開口部から視認できる前記停止図柄表示領域を順次選択して前記停止図柄を該停止表示領域に表示する停止図柄表示手段と、を有することを特徴とする。
【０００６】
また、請求項２に係る遊技機は、請求項１に記載の遊技機において、前記キャラクタ図柄は、前記複数の変動図柄の確定表示態様を予告する複数種類の予告キャラクタを含み、前記主制御手段は、前記複数種類の予告キャラクタから一の予告キャラクタを選択する予告キャラクタ選択手段を有し、前記表示制御手段は、前記複数種類の予告キャラクタのそれぞれの画像データを記憶する予告キャラクタ記憶手段と、前記表示パターン選択手段によって選択された表示パターンに対応する回転表示パターンに前記複数の変動図柄の確定表示態様を所定タイミングで予告する予告演出表示パターンが含まれている場合には、前記予告キャラクタ選択手段によって選択された予告キャラクタを該予告演出表示パターンに従って前記各付属変動領域に所定時間表示する予告キャラクタ表示制御手段と、を有することを特徴とする。
【発明の効果】
【０００７】
請求項１に係る遊技機では、遊技盤には裏側装飾部材が配置されている。また、この裏側装飾部材は、回転装飾部材が回転可能に設けられ、回転手段によって回転駆動される。また、裏側装飾部材には、回転装飾部材の回転位置を検出する検出手段が設けられている。そして、この回転装飾部材の中央部には、略横長四角形の開口部が形成されると共に、この開口部の相対向する長辺部中央位置の各外側近傍に一対の透かし孔が形成されている。また、遊技機の動作状態を制御する主制御手段は、始動口への遊技球の入賞に基づいて複数種類の変動パターンから一の変動パターンを選択する。そして、サブ制御手段は、変動パターンのそれぞれに対応して複数種類の表示パターンを記憶しており、主制御手段の選択した変動パターンに対応して一の表示パターンを所定確率で選択する。また、検出手段の検出情報に基づいて回転手段を駆動制御する回転制御手段は、各表示パターンに対応して回転装飾部材を複数種類の所定回転位置でそれぞれ予め定められた時間停止させる回転駆動パターンを記憶している。
また、映像表示装置を制御する表示制御手段は、回転装飾部材の複数種類の回転位置のそれぞれに対応する各変動図柄の変動領域とキャラクタ図柄の一対の付属変動領域を記憶する。また、表示制御手段は、回転装飾部材の各回転位置に対応する各変動図柄及び各キャラクタ図柄のスクロール方向及びスクロール位置を記憶する。また、表示制御手段は、回転装飾部材の各回転位置のそれぞれに対応して、各変動図柄のうちの停止した停止図柄が視認可能に表示される複数の停止図柄表示領域を記憶する。また、表示制御手段は、表示パターンに対応して回転装飾部材の各回転位置に対応する変動領域内に予め定められた時間各変動図柄又は停止図柄を表示させると共に、該回転装飾部材の各回転位置に対応する各付属変動領域内に予め定められた時間前記各キャラクタ図柄を変動表示又は停止表示させる回転表示パターンを記憶する。
そして、回転制御手段は、サブ制御手段によって選択された表示パターンに対応する回転駆動パターンに従って回転装飾部材を各回転位置にそれぞれ予め定められた時間停止させるように駆動制御する。一方、表示制御手段は、サブ制御手段によって選択された表示パターンに対応する回転表示パターンに従って変動領域及び一対の付属変動領域と、各変動図柄及び各キャラクタ図柄のスクロール方向とスクロール位置を順次選択して、変動領域と各付属変動領域とを相互に重ならないように表示する。また同時に、各変動図柄を該変動領域に変動表示すると共に、キャラクタ図柄を各付属変動領域に表示する。また、表示制御手段は、該表示パターンに対応する回転表示パターンに従って順次選択された変動領域内で回転装飾部材の開口部から視認できる停止図柄表示領域を順次選択して、停止図柄を該停止表示領域に表示するように制御する。
【０００８】
これにより、回転制御手段は、サブ制御手段によって選択された表示パターンに対応する回転駆動パターンに従って回転装飾部材を回転駆動制御する。また、該回転装飾部材の回転によって映像表示装置の変動図柄の変動表示が回転装飾部材の開口部からはみ出て、各キャラクタ図柄の変動表示が各透かし孔よりもはみ出ても、表示制御手段は、該サブ制御手段によって選択された表示パターンに対応する回転表示パターンに従って、この回転装飾部材の停止した各回転位置に対応する各変動図柄及び各キャラクタ図柄のスクロール方向及びスクロール位置を選択して、この変動領域及び各付属変動領域に各変動図柄及び各キャラクタ図柄を変動表示すると共に、該変動領域と該各付属変動領域とを相互に重ならないように表示する。このため、回転した回転装飾部材の開口部と各透かし孔内に変動図柄と各キャラクタ図柄を１つの映像表示装置によって確実に変動表示することができ、製造コストの削減化及び回転装飾部材の小型化を図ることが可能となる。また、回転装飾部材の停止した各回転位置に対応する各付属変動領域にキャラクタ図柄を確実に変動表示することができるため、各透かし孔を介して複雑な演出表示を行い遊技者を楽しませることができると共に、この各透かし孔を介して遊技者に対して遊技の結果を明確に認識できるように報知することが可能となる。また、該回転装飾部材の回転位置に対応して各変動図柄を開口部内に確実に変動表示することができる。
また、各変動図柄のうち停止した停止図柄がある場合には（例えば、リーチ状態などである。）、表示制御手段は、サブ制御手段によって選択された表示パターンに対応する回転表示パターンに従って選択された変動領域内で開口部から視認できる停止図柄表示領域を順次選択し、この停止図柄を該停止表示領域に表示するため、停止した停止図柄を常に各回転位置に停止した回転装飾部材の開口部内に確実に表示でき、遊技者の興趣を増大させることができる。
【０００９】
また、請求項２に係る遊技機では、キャラクタ図柄には、複数の変動図柄の確定表示態様を予告する複数種類の予告キャラクタが含まれている。そして、表示制御手段は、表示パターン選択手段によって選択された表示パターンに対応する回転表示パターンに複数の変動図柄の確定表示態様を所定タイミングで予告する予告演出表示パターンが含まれている場合には、主制御手段の選択した予告キャラクタを該予告演出表示パターンに従って各付属変動領域に所定時間表示する。
これにより、回転装飾部材の開口部内に表示されている複数の変動図柄の確定表示態様を予告する予告キャラクタを開口部の外側近傍に設けられた一対の透かし孔を介して見ることが可能となる。従って、遊技者に、予告キャラクタによって複数の変動図柄の最終確定表示態様、即ち大当たりの有・無の予告を明確に報知することが可能となり、遊技者の大当り獲得に対する期待感を向上させることが可能となる。また、予告キャラクタは、相対向する一対の透かし孔に他所定タイミングで所定時間表示されるため、この予告キャラクタを遊技者に確実に認識できるように表示制御することができる。
【発明を実施するための最良の形態】
【００１０】
以下、本発明に係る遊技機をパチンコ機について具体化した一実施例を図面を参照して詳細に説明する。
【実施例１】
【００１１】
先ず、本実施例に係るパチンコ機の概略構成について図１及び図２に基づき説明する。
図１及び図２に示すように、パチンコ機１は、正面視矩形に形成される木製の外枠２に対して合成樹脂製の内枠３が、内枠取付用ヒンジを構成する上ヒンジ３Ａ及び下ヒンジ３Ｂを介して外枠２に対して開閉自在に取り付けられている。そして、この内枠３のほぼ上半分の前側には、合成樹脂製の前面カバー部材４が左端縁部の上下を軸支されて開閉自在に取付けられている。また、この前面カバー部材４のほぼ中央部には略円形の窓部５が開設され、この窓部５の外周縁部に形成されるガラス保持枠に装着された２枚のガラスを通して遊技盤４１（図３参照）上の遊技領域４２（図３参照）を見ることができるように構成されている。また、前面カバー部材４の窓部５の左上端縁部には、フルカラーの発光ダイオードが内蔵され、遊技中のエラーを表示するエラー表示電飾ランプ６が取付けられている。また、前面カバー部材４の正面視四隅には、スピーカ７が配置されている。また、前面カバー部材４の前面部分は、窓部５の周囲が不透明な合成樹脂製の前面部材４Ａで覆われており、不図示のフルカラーダイオードが窓部５の外周部に沿って内蔵され、遊技中に光演出が行われる。
【００１２】
また、前面カバー部材４の右側端縁部には、内枠３及び前面カバー部材４を施錠する施錠装置（不図示）を操作するための鍵挿入部４Ｂが設けられている。前面カバー部材４を開くためには、この鍵挿入部４Ｂに所定のキーを挿入して所定方向に回せば、施錠装置のロック状態が解除されて、前面カバー部材４のみがオープンされる。
また、この前面カバー部材４の下側には、賞球払出装置２２を介して払い出される賞球を受ける上皿８が配設されている。また、この上皿８は、左端縁部の上下を軸支されて、前面カバー部材４を開放後、内側に設けられた不図示のレバーを下げることにより開放できるように取付けられている。また、この上皿８の中央前面部には、不図示のカード式球貸機を操作する球貸操作部８Ｂが設けられ、各操作ボタン８Ｃ、８Ｄが配置されている。そして、その上皿８の下には、下皿９が配設される。また、この下皿９の上端面左方には演出表示等に使用可能な各スイッチボタン９Ａ、９Ｂが配置されている。
【００１３】
また、上皿８に連通する不図示の球送り機構を介して上皿８のパチンコ球が操作ハンドル１０によりパチンコ球の発射勢を調整される発射装置（不図示）へ送られるよう構成されている。この発射装置は、供給されるパチンコ球を連続的に叩打する発射ソレノイド（不図示）や発射勢装置として機能する発射制御基板３０等から構成され、該発射制御基板３０は、操作ハンドル１０の内部に取り付けられる可変抵抗器（不図示）を介して発射ソレノイドへの供給電力が調節され、パチンコ球の発射勢を強めたり、弱めたりすることが可能なように構成されている。これにより、遊技者が操作ハンドル１０における回動操作部材１０Ａの回動量を調節することによって、該操作ハンドル１０内に取り付けられた可変抵抗器の抵抗値が増減され、発射ソレノイドによるパチンコ球の発射勢の加減を適宜行うことができるように構成されている。
また、外枠２の内枠３より下側部分の前面部を左右方向及び上下方向の各全幅に渡って覆うようにスピーカ筐体１１が設けられている。
また、内枠３を閉じた場合には、該内枠３の下端部は、その自重によってスピーカ筐体１１の上端面部に当接している。また、このスピーカ筐体１１の底面前端縁部には、左右方向全幅に渡って外枠２の下端面に対向する位置まで下方に突設されるリブ部（不図示）が設けられている。
【００１４】
また、この内枠３のほぼ中央部には遊技盤４１が着脱自在なように鉄板等の金属製や合成樹脂製又は合成樹脂の一体成形により形成される機構盤１８に取り付けられている。そして、この機構盤１８の裏側には合成樹脂製の機構セット盤２０が開閉自在に蝶番により取り付けられている。
また、パチンコ機１の裏側最上段には、上方に開口した賞球タンク２１が機構セット盤２０に固定されている。賞球タンク２１は、傾斜した底面に連通孔が形成され、その連通孔の下方にはパチンコ球を２列に整列流出し、賞球払出装置２２にパチンコ球を送る通路を形成するタンクレール２３が取付けられている。また、賞球払出装置２２内には、賞球案内部２４内の賞球通路を通過するパチンコ球を確認する球有り検出スイッチやパチンコ球の払い出しを調節する払い出しステッピングモータが内装されている。そして、これら賞球タンク２１、タンクレール２３、賞球案内部２４、賞球払出装置２２等により賞球及び貸球の払い出しシステムが構成されている。
【００１５】
また、タンクレール２３の下側には液晶表示器（ＬＣＤ）５２（図４参照）等を制御する演出表示基板２６０（図２２参照）が内蔵される演出表示基板ケース２６が配設されている。また、演出表示基板ケース２６の横側には普通役物等を駆動制御する役物駆動制御基板が内蔵される役物駆動制御基板ケース２７が配設されている。また、演出表示基板ケース２６の下側には、各スピーカ７、スピーカ筐体１１に内蔵されるスピーカ、エラー表示電飾ランプ６等のフルカラーダイオード、及び後述の回転用モータ１２５（図８参照）等を駆動制御するサブ統合制御基板２８０（図２２参照）が内蔵されるサブ統合制御基板ケース２８が配設されている。また、このサブ統合制御基板ケース２８の下側には、パチンコ機１の遊技動作を制御する主制御基板２９０（図２２参照）が内蔵される主制御基板ケース２９が配設されている。そして、この主制御基板ケース２９の遊技者側前面部には、操作ハンドル１０の操作によって発射装置を駆動制御する発射制御基板が内蔵される発射制御基板ケース３０が配設されている。また、主制御基板ケース２９の横側には、賞球払出装置２２を駆動制御する払出制御基板が内蔵される払出制御基板ケース３１が配設されている。更に、この払出制御基板ケース３１の下側には、ＡＣ２４Ｖの供給電源からＤＣ５ＶやＤＣ１２Ｖ等の各種駆動電源を生成して供給する電源基板が内蔵される電源基板ケース３２が配設されている。
【００１６】
次に、遊技盤４１上の遊技領域４２の構成について図３及び図４に基づいて説明する。
図３及び図４に示すように、この遊技領域４２は、所定厚さの板材をなした遊技盤４１上に入賞口などの各構造物が配設され、それを囲むように環状のレール４３が立設されて構成されている。このレール４３は、発射されたパチンコ球を遊技領域４２内に案内する重複して形成した案内路４４を構成し、右肩部にはレール４３に沿って打ち込まれるパチンコ球の進行を制限するための段差部４５を有する。
遊技領域４２のほぼ中央には、第１開口部４７が開設され、この第１開口部４７に特別図柄表示装置４８が配設されている。この特別図柄表示装置４８は、遊技盤４１の前面側に装着される後述の前面側装飾部材４９（図５、図６参照）と、この前面側装飾部材４９の背面側に配置される後述の裏側装飾部材５０（図７等参照）と、この前面側装飾部材４９及び裏側装飾部材５０の背面部を覆うように第１開口部４７の裏側に取り付けられる取付カバー部材５１と、この取付カバー部材５１の背面部に取り付けられる液晶表示器（ＬＣＤ）５２等から構成されている。この液晶表示器５２には、上、中、下に上下方向３列の変動図柄が表示され、後述のように回転装飾部材の回転に伴って各変動図柄は回転表示される（図３７等参照）。また、液晶表示器５２の左下角部には、左右に２分割された普通図柄を表示する普通図柄表示部５０が構成されている。
【００１７】
一方、特別図柄表示装置４８の左側にはゲート５４が配設されている。また、このゲート５４にはパチンコ球の通過を検出するゲートスイッチ５４Ａ（図２２参照）が備えられている。また、特別図柄表示装置４８の左右の下角部の外側には、通常の風車５５、５６が設けられている。
また、特別図柄表示装置４８の直下には、始動口５７が配設されている。この始動口５７には、パチンコ球の入賞を検出する始動口スイッチ５７Ａ（図２２参照）が設けられ、パチンコ球の入賞を検出することで液晶表示器５２に表示されている３列の変動図柄の変動が開始する。そして、変動図柄が変動中に始動口５７に入賞した場合には、入賞個数が４個まで後述の主制御基板２９０（図２２参照）に設けられるＲＡＭに記憶されて変動確定回数として保留される。
【００１８】
また、ゲート５４のパチンコ球の通過を検出することで普通図柄表示部５０の普通図柄が変動する。そして、このゲート５４にパチンコ球が入って、普通図柄表示部５０の普通図柄が変動後、所定の表示態様で停止した場合（例えば、「１１」、「７７」のように揃った場合等）には、始動口５７の上部に設けられるチューリップ式役物５７Ｂが所定時間（本実施例では、約１秒間）開かれ、この始動口５７にパチンコ球が入賞する確率が増加する。また、普通図柄が変動中にゲート５４をパチンコ球が通過した場合には、通過個数が４個まで主制御基板２９０に設けられるＲＡＭに記憶されて普通図柄の変動確定回数として保留される。
【００１９】
そして、始動口５７の下側には、横幅が広い上方に開口する開閉扉５９で前面部を覆われる大入賞口６０が形成された特別入賞装置６１が配設されている。また、この大入賞口６０の左右両側には上方に開口する各入賞口６２、６３が配設されて遊技盤４１裏面の不図示の賞球樋に連通され、この各入賞口６２、６３への入賞を検出する入賞口スイッチ（不図示）が設けられている。また、各入賞口６２、６３の下側には、各電飾ランプ６２Ａ、６３Ａが内蔵されている。
また、特別入賞装置６１の直下にはレール４３に沿ってアウト口６５が開設されている。更に、レール４３に囲まれたこのような遊技領域４２には、前記各構成物とともに複数の釘が打設されてパチンコ球の複雑な流路を構成している。
【００２０】
次に、遊技盤４１の第１開口部４７に前面側から取り付けられる前面側装飾部材４９の概略構成について図５及び図６に基づいて説明する。
図５及び図６に示すように、前側装飾部材４９は、遊技盤４１の第１開口部４７に前面側から嵌入されて各取付穴６７を介してビス止め等によって取り付けられ、この第１開口部４７の前面部を閉塞すると共に装飾している。また、この前側装飾部材４９の中央部には、液晶表示器（ＬＣＤ）５２の表示画面にほぼ等しい大きさの略横長四角形の第２開口部６９が開設されている。また、この前側装飾部材４９の背面部は、ほぼ前面に渡って透明な板状の樹脂製保護カバー７１で覆われている。これにより、この第２開口部６９内に遊技球が転動落下しても遊技盤４１の裏側に進入することを阻止でき、裏側装飾部材５０内に滞留したり、液晶表示器５２に衝突することを防止することができる。また、遊技者はこの保護カバー７１を介して液晶表示器５２の演出表示を見ることができる。
また、この第２開口部６９の下側側壁部７２は、外側下方向に傾斜して設けられているため、該第２開口部６９内に転動落下した遊技球を確実に外側方向に転動落下させることができる。
また、この前側装飾部材４９の両肩部７３、７４には、上辺部に転動落下してこの両肩部７３、７４上を転動落下した遊技球が進入可能な各ワープ入り口７３Ａ、７４Ａが形成されており、左右側縁部に沿って下端部まで連通される各ワープ通路７５、７６に進入可能に構成されている。そして、各ワープ通路７５、７６内を転動落下した遊技球は、前面装飾部材４９の下端面上を転動して、この前面側装飾部材４９の下端部前面で、且つ始動口５７の直上に形成される始動口案内孔７７から下方に転動落下するように構成されている。
【００２１】
次に、裏側装飾部材５０の概略構成について図７乃至図１８に基づいて説明する。
図７に示すように、裏側装飾部材５０は、中央部に略円形の第３開口部８１が形成されて、取付カバー部材５１の前面部に取り付けられる略矩形状の枠部材８２と、この枠部材８２の前面側から第３開口部８１の外周部を覆うと共に該第３開口部８１に回転可能に装着される正面視略円形の回転装飾部材８３と、該枠部材８２の背面側から回転装飾部材８３の背面部を覆うように取り付けられて第３開口部８１内に回転可能に装着される回転カバー部材８４とから構成されている。
また、第３開口部８１の裏側周縁部には、リブ部８１Ａが所定高さ（例えば、約１０ｍｍの高さである。）裏側方向に周設されている。また、回転カバー部材８４の開口部８６の周囲には、この回転カバー部材８４の回転軸心を中心として、正面視円形のリブ部８４Ａが所定高さ（例えば、約１０ｍｍの高さである。）前面側方向に立設されている。これにより、枠部材８１の第３開口部８１及びリブ部８１Ａの内周面と、回転装飾部材８３の背面部及び回転カバー部材８４のリブ部８４Ａの外周面とによって、後述のように、可撓性及び屈曲性を有する各フレキシブルプリント配線１０３、１０４（図１５参照）が側面視Ｕ字形に折り返されて配設される空間部１０５が形成される（図１２参照）。
【００２２】
また、回転装飾部材８３と回転カバー部材８４とのそれぞれの略中央部には、略横長四角形の各開口部８５、８６が形成され、回転装飾部材８３の背面部に回転カバー部材８４を取り付けた場合には、前面側装飾部材４９の第２開口部６９とほぼ同じ大きさの第４開口部８７が形成される（図８参照）。そして、取付カバー部材５１を介して遊技盤４１の第１開口部４７の裏側に装着された場合には、前面側装飾部材４９の第２開口部６９と裏側装飾部材５０の第４開口部８７とは、相対向するように配置される（図３参照）。
また、回転装飾部材８３の開口部８５の相対向する長辺部略中央位置の各外側近傍の位置には、正面視横長四角形で筒状の各貫通孔２００Ａ、２０１Ａが裏側面まで形成されている。一方、回転カバー部材８４の開口部８６の相対向する長辺部略中央位置の各外側近傍の各貫通孔２００Ａ、２０１Ａに対向する位置には、正面視横長四角形の各貫通孔２００Ｂ、２０１Ｂが形成されている。これにより、枠部材８２に回転装飾部材８３と回転カバー部材８４とを取り付けた場合には、貫通孔２００Ａと貫通孔２００Ｂとは連通し、また、貫通孔２０１Ａと２０１Ｂとは連通して、各透かし孔２００、２０１（図８〜図１１参照）が形成される。
【００２３】
図８乃至図１１に示すように、枠部材８２の前面側の上辺部には、下端縁部が円弧状に形成された前側回転支持板８９が取り付けられている。この前側回転支持板８９の下端縁部は、回転装飾部材８３の外周部から所定寸法（例えば、約３ｍｍ〜５ｍｍである。）半径方向内側の位置に、軸方向に形成された正面視円形の段差部９０の外周面に摺接可能に設けられ、該回転装飾部材８３の上方向への変位を支持すると共に、軸方向前側への変位を支持するように構成されている。また、この前側回転支持板８９の左右方向中央部には逆三角形の位置マーク９１が形成されている。一方、回転装飾部材８３の段差部９０の前面部には、第４開口部８７の長手方向が略水平に位置した場合に、この位置マーク９１に対向する位置に原点位置を表す原点マーク９２が形成されている。これにより、原点マーク９２を位置マーク９１に合わせることによって、枠部材８２に対する回転装飾部材８３の原点位置合わせを目視で行うことができる。
また、枠部材８２の背面側の上辺部には、下端縁部が円弧状に形成された裏側回転支持板９５が取り付けられている。この裏側回転支持部材９５の下端縁部は、回転カバー部材８４の外周部から所定寸法（例えば、約５ｍｍ〜１０ｍｍである。）半径方向内側の位置に、軸方向に形成された正面視円形の段差部９４の外周面に摺接可能に設けられ、該回転カバー部材８４の上方向への変位を支持すると共に、軸方向背面側への変位を支持するように構成されている。
【００２４】
また、枠部材８２の第３開口部８１の外周部には、位置マーク９１から正・逆回転方向の中心角約１２０度の位置に、金属製の各シャフト９７、９８が前後方向に貫通して立設され、各回転ローラ９７Ａ、９７Ｂと各回転ローラ９８Ａ、９８Ｂとが軸支されている。また、枠部材８２の前面側に配置される各回転ローラ９７Ａ、９８Ａは、回転装飾部材８３の段差部９０の外周面に当接可能に設けられ、該回転装飾部材８３の下方向への変位及び荷重を支持すると共に、軸方向前側への変位を支持するように構成されている。また、枠部材８２の背面側に配置される各回転ローラ９７Ｂ、９８Ｂは、回転カバー部材８４の段差部９４の外周面に当接可能に設けられ、該回転カバー部材８４の下方向への変位及び荷重を支持すると共に、軸方向背面側への変位を支持するように構成されている。また、各シャフト９７、９８の背面側端縁部には、正面視略Ｌ字形の保護板９９が取り付けられ、各回転ローラ９７Ｂ、９８Ｂの背面側端縁部に摺接している。
これにより、枠部材８１が取付カバー部材５１を介して遊技盤４１に平行になるように取り付けられた場合には、回転装飾部材８３及び回転カバー部材８４は、各回転ローラ９７Ａ、９７Ｂと各回転ローラ９８Ａ、９８Ｂとによって、第３開口部８１に回転可能に支持される。また、裏側装飾部材５０の第４開口部８７は、該第４開口部８７の長手方向が略水平に位置した場合に、前面側装飾部材４９の第２開口６９と協働して略横長四角形の連続した開口部を形成するように配置される。また、裏側装飾部材５０の第４開口部８７の長手方向が略鉛直方向に位置した場合には、後述のように前面側装飾部材４９の第２開口６９内の左右方向両端縁部に各透かし孔２００、２０１が配置されると共に、第４開口部８７の中央部が該第２開口部６９と対向するように配置される（図２０参照）。
【００２５】
また、回転装飾部材８３の第４開口部８７の相対向する長辺側の外周部前面側には、長手方向中央部の各透かし孔２００、２０１の外周部にフルカラーの発光ダイオードが内蔵される各電飾部１００、１０１が設けられると共に、該各電飾部１００、１０１の長手方向両外側には各電飾ランプカバー１００Ａ、１０１Ａが設けられている。また、回転装飾部材８３の各電飾部１００、１０１及び各電飾ランプカバー１００Ａ、１０１Ａの背面部には、点灯駆動される各フルカラーの発光ダイオードや光演出用の各種電飾ランプ等が配設された各電飾回路基板１００Ｂ、１０１Ｂ（図１２参照）が設けられ、各電飾部１００、１０１における光演出が可能に構成されると共に、各種光演出に合わせて各電飾ランプカバー１００Ａ、１０１Ａによる光演出が行われる。
一方、枠部材８２の背面側には、右側縁部（図９中、左側縁部）の上下方向略中央部に中継基板１０２が配設され、該中継基板１０２と各電飾回路基板１００Ｂ、１０１Ｂとは、各フレキシブルプリント配線１０３、１０４を介して電気的に接続されている。また、後述のように、各電飾回路基板１００Ｂ、１０１Ｂは、中継基板１０２を介してサブ統合制御基板２８０に電気的に接続されている（図２２参照）。
【００２６】
ここで、各フレキシブルプリント配線１０３、１０４の配線状態の詳細について図１２乃至図１５に基づいて説明する。
図１２に示すように、各フレキシブルプリント配線１０３、１０４は、中継基板１０２から下側方向に引き出されて、該中継基板１０２の内側に対向して立設される断面略四角形のボス部１０７Ａと断面略円形のボス部１０７Ｂとの間を重ねられて通り、枠部材８２のリブ部８１Ａの外周部が軸方向に所定幅（本実施例では、約３ｍｍ〜５ｍｍ幅である。）で切り欠かれたスリット状の挿入口１０８から空間部１０５内に、該リブ部８１Ａの内周面の接線方向に沿って挿入されている。また、回転装飾部材８３が原点位置に位置する場合には、この重ねられて挿入された各フレキシブルプリント配線１０３、１０４は、この空間部１０５内の第３開口部８１及びリブ部８１Ａの内周面に沿って上側の電飾回路基板１０１Ｂ上を通り過ぎて、原点マーク９２から中心角が所定角度（本実施例では、約４５度である。）に達した場合には、再度挿入口１０８方向へ側面視Ｕ字形に内側方向に折り返されて、配設される。
【００２７】
また、この折り返された各フレキシブルプリント配線１０３、１０４は、回転カバー部材８４のリブ部８４Ａの外周面に沿って上側の電飾回路基板１０１Ｂ上に達した場合には、このリブ部８４Ａに形成された軸方向に所定幅（本実施例では、約３ｍｍ〜５ｍｍ幅である。）で切り欠かれたスリット状の入口部１１０に、外周面の接線方向に沿って挿入される。そして、この入口部１１０に挿入されたフレキシブルプリント配線１０３は、電飾回路基板１０１Ｂに接続される。一方、この入口部１１０に挿入されたフレキシブルプリント配線１０４は、リブ部８４Ａの内周面に沿って配設され、このリブ部８４Ａに形成されたスリット状の出口部１１１から空間部１０５に引き出されて、このリブ部８４Ａの外周面に沿って配設される。そして、原点マーク９２を過ぎて中心角が約９０度に達した場合には、リブ部８４Ａに形成されたスリット状の入口部１１２に挿入された後、このリブ部８４Ａに形成されたスリット状の出口部１１３から再度、空間部１０５に引き出されてリブ部８４Ａの外周面に沿って配設される。続いて、リブ部８４Ａの外周面に沿って下側の電飾回路基板１００Ｂ上に達した場合には、このリブ部８４Ａに形成されたスリット状の入口部１１５に、外周面の接線方向に沿って挿入される。そして、この入口部１１５に挿入されたフレキシブルプリント配線１０４は、電飾回路基板１００Ｂに接続される。
【００２８】
従って、挿入口１０８から空間部１０５内に挿入された各フレキシブルプリント配線１０３、１０４は、空間部１０５内で側面視Ｕ字形に折り返されて配設されるため、中継基板１０２から各電飾回路基板１００Ｂ、１０１Ｂまでの最大配線長さよりも長くなるように形成されている。また、フレキシブルプリント配線１０３は、電飾回路基板１０１Ｂ上を通り過ぎた後、空間部１０５内で内側方向に折り返されて配設された後、入口部１１０に挿入されるため、このフレキシブルプリント配線１０３の曲げ弾性によってリブ部８４Ａの外周面に密着させて取り付けることができる。これにより、図１３及び図１５に示すように、フレキシブルプリント配線１０３は、その曲げ弾性によって回転装飾部材８３及び回転カバー部材８４の回転に伴って、順次リブ部８４Ａの外周面に密着するように空間部１０５内でスムーズに折り返されて移動することが可能となる。
また、フレキシブルプリント配線１０４は、回転カバー部材８４のリブ部８４Ａに形成されたスリット状の出口部１１１から引き出された後、入口部１１２及び出口部１１３に挿入されて、入口部１１５に挿入されるため、フレキシブルプリント配線１０４をリブ部８４Ａの外周面に確実に密着させて取り付けることができる。このため、図１４及び図１５に示すように、フレキシブルプリント配線１０４は、その曲げ弾性によって回転装飾部材８３及び回転カバー部材８４の回転に伴って、順次リブ部８４Ａの外周面に密着するように空間部１０５内でスムーズに折り返されて移動することが可能となる。
【００２９】
また、図８及び図１０に示すように、回転装飾部材８３の各電飾部１００、１０１及び各電飾ランプカバー１００Ａ、１０１Ａの外周部には、原点マーク９２に対して左右対称に所定中心角度（本実施例では、約２７０度である。）で案内溝１１８が形成され、この案内溝１１８の両端縁部には、所定高さの各リブ１１９が外側方向に突設されている。一方、枠部材８２の前面部の右側端縁部には、案内溝１１８の前側を覆うように回転規制板１２０が取り付けられている。また、この回転規制板１２０の下端縁部の背面側には、所定高さのボス部１２１が立設されて、案内溝１１８内に挿入されている。これにより、このボス部１２１が案内溝１１８の両端縁部に突設された各リブ１１９に当接することによって、回転装飾部材８３の時計方向及び反時計方向への最大回転可能角度を規制することができる。
【００３０】
また、図８乃至図１１に示すように、枠部材８２の前面部の右上角部には、ステッピングモータ等によって構成される回転用モータ１２５がモータ軸を該枠部材８２の裏側方向に貫通して取り付けられている。また、このモータ軸にはピニオンギヤ１２６が取り付けられている。また、このピニオンギヤ１２６には、枠部材８２及び保護板９９間に軸支されるアイドルギヤ１２７が歯合している。また、このアイドルギヤ１２７の枠部材８２側の面には、このアイドルギヤ１２７の歯数よりも少ない歯数のアイドルギヤ１２８（図１６参照）が同軸上に設けられている。更に、このアイドルギヤ１２８には、回転カバー部材８４の外周部の全周に形成される回転ギヤ部１２９（図１６参照）が歯合している。これより、回転用モータ１２５が時計方向に正回転した場合には、各アイドルギヤ１２７、１２８及び回転ギヤ部１２９を介して、各回転ローラ９７Ａ、９７Ｂ、９８Ａ、９８Ｂ等によって回転可能に支持される回転装飾部材８３及び回転カバー部材８４が時計方向に回転される。また、回転用モータ１２５が反時計方向に逆回転した場合には、各アイドルギヤ１２７、１２８及び回転ギヤ部１２９を介して、回転装飾部材８３及び回転カバー部材８４が反時計方向に回転される。
【００３１】
また、図７、図８及び図１０に示すように、回転装飾部材８３の外周部には、原点マーク９２から反時計方向に中心角が約４５度の位置から約２２５度の位置までに渡って、半径方向外側に所定長さ（本実施例では、約５ｍｍ〜１０ｍｍである。）延出された正面視略半円弧状の延出部１３１が形成されている。また、回転装飾部材８３の原点マーク９２が枠部材８２の位置マーク９１に対向する位置、即ち、回転装飾部材８３が原点位置に位置する場合に、この延出部１３１の反時計方向側の端縁部に対向する枠部材８２の前面部には、透過型のフォトセンサＳＷ１が、該延出部１３１の反時計方向側の端縁部を挟むように配設されている。従って、このフォトセンサＳＷ１は、位置マーク９１から中心角が時計方向に約１３５度の枠部材８２の前面部に配設されている。
また、この透過型のフォトセンサＳＷ１から中心角が時計方向に約９０度の枠部材８２の前面部には、透過型のフォトセンサＳＷ２が、該延出部１３１を挟むように配設されている。ここで、各フォトセンサＳＷ１、ＳＷ２は、延出部１３１を挟んだ場合には、ＯＦＦ信号を出力し、延出部１３１を挟んでない場合には、ＯＮ信号を出力するように構成されている。
【００３２】
ここで、各フォトセンサＳＷ１、ＳＷ２の出力信号の一例を図１６乃至図１８に基づいて説明する。
図１６に示すように、先ず、回転用モータ１２５を駆動して回転装飾部材８３を回転させ、原点マーク９２を位置マーク９１に対向させた場合には、即ち回転装飾部材８３を回転させて原点位置に移動させた場合には、各フォトセンサＳＷ１、ＳＷ２は、延出部１３１によって遮られて共にＯＦＦ信号を出力する。
また、図１７示すように、回転用モータ１２５を駆動して回転装飾部材８３を原点位置から時計方向に約９０度回転させた場合には、フォトセンサＳＷ１は、延出部１３１によって遮られないため、ＯＮ信号を出力する。一方、フォトセンサＳＷ２は、延出部１３１の反時計方向側の端縁部によって遮られるためＯＦＦ信号を出力する。
更に、図１８に示すように、回転用モータ１２５を駆動して回転装飾部材８３を原点位置から時計方向に約１８０度回転させた場合には、フォトセンサＳＷ１は、延出部１３１の時計方向側の端縁部によって遮られるためＯＦＦ信号を出力する。一方、フォトセンサＳＷ２は、延出部１３１によって遮られないため、ＯＮ信号を出力する。
【００３３】
次に、このように構成された特別図柄表示装置４８の裏側装飾部材５０を回転駆動した一例を図１９乃至図２１に基づいて説明する。
図１９に示すように、特別図柄表示装置４８の裏側装飾部材５０を構成する回転装飾部材８３を原点位置から時計方向に約４５度回転駆動した場合には、前面側装飾部材４９の第２開口部６９を介して、液晶表示器（ＬＣＤ）５２の表示画面の右上角部に電飾部１０１が出現して、透かし孔２０１の長手方向の約下半分が出現し、該透かし孔２０１を介して液晶表示器（ＬＣＤ）５２の表示画面の右上隅部を見ることが可能となる。また、電飾部１０１の斜め右下側に電飾ランプカバー１０１Ａが出現する。また、液晶表示器（ＬＣＤ）５２の表示画面の左下角部に電飾部１００が出現して、透かし孔２００の長手方向の約上半分が出現し、該透かし孔２００を介して液晶表示器（ＬＣＤ）５２の表示画面の左下隅部を見ることが可能となる。また、電飾部１００の斜め左上側に電飾ランプカバー１００Ａが出現する。
【００３４】
そして、図２０に示すように、特別図柄表示装置４８の裏側装飾部材５０を構成する回転装飾部材８３を原点位置から時計方向に約９０度回転駆動した場合には、前面側装飾部材４９の第２開口部６９を介して、液晶表示器（ＬＣＤ）５２の表示画面の右側端縁部の中央部に電飾部１０１の全体が出現して、透かし孔２０１が表示画面の右側端縁部の上下方向中央部に位置し、該透かし孔２０１を介して液晶表示器（ＬＣＤ）５２の  表示画面の右側端縁部の上下方向中央部を見ることが可能となる。また、電飾部１０１の上下に各電飾ランプカバー１０１Ａが出現する。また、液晶表示器（ＬＣＤ）５２の表示画面の左側端縁部の中央部に電飾部１００が出現して、透かし孔２００が表示画面の左側端縁部の上下方向中央部に位置し、該透かし孔２００を介して液晶表示器（ＬＣＤ）５２の  表示画面の左側端縁部の上下方向中央部を見ることが可能となる。また、電飾部１００の上下に各電飾ランプカバー１００Ａが出現する。
【００３５】
また、図２１に示すように、特別図柄表示装置４８の裏側装飾部材５０を構成する回転装飾部材８３を原点位置から時計方向に約１３５度回転駆動した場合には、前面側装飾部材４９の第２開口部６９を介して、液晶表示器（ＬＣＤ）５２の表示画面の右下角部に電飾部１０１が出現して、透かし孔２０１の長手方向の約上半分が出現し、該透かし孔２０１を介して液晶表示器（ＬＣＤ）５２の表示画面の右下隅部を見ることが可能となる。また、電飾部１０１の斜め右上側に電飾ランプカバー１０１Ａが出現する。また、液晶表示器（ＬＣＤ）５２の表示画面の左上角部に電飾部１００が出現して、透かし孔２００の長手方向の約下半分が出現し、該透かし孔２００を介して液晶表示器（ＬＣＤ）５２の表示画面の左上隅部を見ることが可能となる。また、電飾部１００の斜め左下側に電飾ランプカバー１００Ａが出現する。
更に、特別図柄表示装置４８の裏側装飾部材５０を構成する回転装飾部材８３を原点位置から時計方向に約１８０度回転駆動した場合には、回転装飾部材８３は、前面側装飾部材４９の背面側にほぼ隠れるように配置され、第２開口部６９を介して液晶表示器５２の略横長四角形の表示画面全体を見ることができる。
【００３６】
次に、上記のように構成されたパチンコ機１の駆動制御に係る制御システムの構成について図２２乃至図２６に基づいて説明する。
図２２に示すように、パチンコ機１の駆動制御に係る制御システムは、主制御基板２９０、サブ統合制御基板２８０及び演出表示基板２６０等から構成されている。
主制御基板２９０は、ＣＰＵ２９１、ＲＯＭ２９２、ＲＡＭ２９３、及び及び入出力回路（Ｉ／Ｏ）２９４等から構成され、このＣＰＵ２９１、ＲＯＭ２９２、ＲＡＭ２９３、及び入出力回路（Ｉ／Ｏ）２９４は、バス線により相互に接続されている。また、ＣＰＵ２９１にはクロック回路２９５が接続されて所定のクロック信号が入力される。また、入出力回路（Ｉ／Ｏ）２９４には、ゲートスイッチ５４Ａ、始動口スイッチ５７Ａ等が接続されている。また、この入出力回路（Ｉ／Ｏ）２９４には、開閉扉５９を開閉する開閉扉ソレノイド５９Ａ、及びチューリップ式役物５７Ｂを開閉するソレノイド５７Ｃが接続されている。
【００３７】
また、図２３に示すように、ＲＡＭ２９３には、クロック回路２９５から入力されるクロック信号に基づいて０から３５９まで繰り返し１ずつ加算した数値（最大値３５９の次には最小値０に戻る）が格納される大当たりカウンタ２９３Ａが設けられている。この大当たりカウンタ２９３Ａのカウント値は、始動口スイッチ５７Ａからスイッチ信号が入力されるタイミングで読み取られ、その読み取られたカウント値に基づき大当たりかどうか判断される。ここでは、例えば、カウント値「７」が大当たりに対応し、その他のカウント値はハズレとなる。
尚、大当たりが抽選された場合には、左、中、右の３列の変動図柄が変動後、各特別図柄「１」、「２」、「３」、・・・、「９」、「０」のうちのいずれかが「１１１」、「２２２」、「３３３」、・・・、「９９９」、「０００」と揃って確定停止して表示され、その後、大入賞口６０が所定回数（例えば、１５回である。）連続して、毎回３０秒間又は３０秒以内に１０個入賞するまで開放され、遊技者に多くの賞球が払い出されるいわゆる大当たり遊技を行うことができる。
【００３８】
また、ＲＡＭ２９３には、クロック回路２９５から出力されるクロック信号に基づいて０から１４２まで繰り返し１ずつ加算した数値（最大値１４２の次には最小値０に戻る）が格納されるリーチカウンタ２９３Ｂが設けられている。かかるリーチカウンタ２９３Ｂのカウント値は、始動口スイッチ５７Ａからスイッチ信号が入力されるタイミングで読み取られ、その読み取られたカウント値に基づきリーチ状態かどうか判断される。ここでは、例えば、カウント値「０〜２７」がリーチ後に外れとなるリーチハズレの場合に対応し、カウント値「２８〜１４２」がリーチに至ることなく直ちにハズレとなる完全ハズレの場合に対応している。
【００３９】
また、ＲＡＭ２９３には、クロック回路２９５から出力されるクロック信号に基づいて０から９まで繰り返し１ずつ加算した数値（最大値９の次には最小値０に戻る）が格納される変動パターン選択カウンタ２９３Ｃが設けられている。かかる変動パターン選択カウンタ２９３Ｃのカウント値は、始動口スイッチ５７Ａからスイッチ信号が入力されるタイミングで読み取られる。尚、変動パターン選択カウンタ２９３Ｃのカウント値は、液晶表示器５２の３列の変動図柄の変動が開始されるタイミングで読み取るように構成してもよい。また、この変動パターン選択カウンタ２９３Ｃのカウント値に基づいて選択される各変動パターンは、各種の表示演出に基づき一連の図柄変動を表示するパターンであり、本実施例においては、表示演出時間としてはリーチハズレの各リーチ変動パターンＸ、Ｙの変動パターンとして「２０秒間」、「３０秒間」の２種類のものが設定されている。また、各大当たりのリーチ変動パターンＸ、Ｙの変動パターンとして「２２秒間」、「３２秒間」の２種類のものが設定されている。
ここでは、例えば、カウント値「０〜４」がリーチハズレのリーチ変動パターンＸの変動パターンとして「２０秒間」のものに対応し、大当たりのリーチ変動パターンＸの変動パターンとして「２２秒間」のものに対応している。また、カウント値「５〜９」がリーチハズレのリーチ変動パターンＹの変動パターンとして「３０秒間」のものに対応し、大当たりのリーチ変動パターンＹの変動パターンとして「３２秒間」のものに対応している。
尚、リーチ状態とは、左、中、右の３列の変動図柄が変動後、左列と右列との変動図柄が各特別図柄「１」、「２」、「３」、・・・、「９」、「０」のうちのいずれかで揃って停止し、中列の変動図柄が変動する状態をいう（例えば、「１↓１」、「２↓２」、・・・、「７↓７」等の状態である。）。また、左、中、右の３列の変動図柄のうち左列と右列に停止する特別図柄をリーチ図柄という。
【００４０】
また、ＲＡＭ２９３には、クロック回路２９５から出力されるクロック信号に基づいて０から２００まで繰り返し１ずつ加算した数値（最大値２００の次には最小値０に戻る）が格納されるハズレ図柄選択カウンタ２９３Ｄが設けられている。かかるハズレ図柄選択カウンタ２９３Ｄのカウント値は、始動口スイッチ５７Ａからスイッチ信号が入力されるタイミングで読み取られる。
また、ＲＡＭ２９３には、クロック回路２９５から出力されるクロック信号に基づいて０から１４３まで繰り返し１ずつ加算した数値（最大値１４３の次には最小値０に戻る）が格納されるリーチハズレ図柄選択カウンタ２９３Ｅが設けられている。かかるリーチハズレ図柄選択カウンタ２９３Ｅのカウント値は、始動口スイッチ５７Ａからスイッチ信号が入力されるタイミングで読み取られる。
尚、ハズレ図柄選択カウンタ２９３Ｄのカウント値、及びリーチハズレ図柄選択カウンタ２９３Ｅのカウント値は、液晶表示器５２の３列の変動図柄の変動が開始されるタイミングで読み取るように構成してもよい。
【００４１】
また、ＲＡＭ２９３には、クロック回路２９５から出力されるクロック信号に基づいて０から９９まで繰り返し１ずつ加算した数値（最大値９９の次には最小値０に戻る）が格納される大当たり図柄選択カウンタ２９３Ｆが設けられている。かかる大当たり図柄選択カウンタ２９３Ｆのカウント値は、始動口スイッチ５７Ａからスイッチ信号が入力されるタイミングで読み取られ、その読み取られたカウント値に基づき液晶表示器（ＬＣＤ）５２に表示される大当たり図柄が選択される。ここで、大当たり時には液晶表示器５２に「１１１」、「２２２」、「３３３」、「４４４」、「５５５」、「６６６」「７７７」、「８８８」、「９９９」、「０００」のうちのいずれかが選択されて表示される。尚、各大当たり図柄は、後述のように各種の表示演出に基づき一連の図柄変動を経た後に停止表示される図柄である。
【００４２】
また、ＲＡＭ２９３には、クロック回路２９５から出力されるクロック信号に基づいて０から１４まで繰り返し１ずつ加算した数値（最大値１４の次には最小値０に戻る）が格納される予告図柄選択カウンタ２９３Ｇが設けられている。かかる予告図柄選択カウンタ２９３Ｇののカウント値は、始動口スイッチ５７Ａからスイッチ信号が入力されるタイミングで読み取られ、その読み取られたカウント値に基づき液晶表示器（ＬＣＤ）５２に後述のように各透かし孔２００、２０１に対向する表示画面の第１付属変動領域３００と第２付属変動領域３０１（図４０等参照）に表示される予告キャラクタが選択される。
ここで、予告キャラクタには、「大吉」、「中吉」、「小吉」の３種類が予めＲＯＭ２９２に記憶されている。そして、大当たり時には、予告図柄選択カウンタ２９３Ｇのカウント値が「０〜９」の場合に、予告キャラクタとして「大吉」が選択され、また、このカウント値が「１０〜１３」の場合に、予告キャラクタとして「中吉」が選択され、更に、このカウント値が「１４」の場合に、予告キャラクタとして「小吉」が選択される。一方、リーチハズレ時には、予告図柄選択カウンタ２９３Ｇのカウント値が「０〜１０」の場合に、予告キャラクタとして「小吉」が選択され、また、このカウント値が「１１〜１３」の場合に、予告キャラクタとして「中吉」が選択され、更に、このカウント値が「１４」の場合に、予告キャラクタとして「大吉」が選択される。
また、ＲＡＭ２９３には、始動口スイッチ５７Ａからスイッチ信号が入力されたときの各カウンタ２９３Ａ〜２９３Ｇのカウント値等が記憶されるパラメータ記憶エリア２９３Ｈが設けられている。
尚、各カウンタ２９３Ａ〜２９３Ｇの各カウント値及びパラメータ記憶エリア２９３Ｈは、起動時に「０」に初期化される。
【００４３】
また、図２２に示すように、サブ統合制御基板２８０には、ＣＰＵ２８１、スピーカ７や回転用モータ１２５等の駆動制御プログラム等を格納するＲＯＭ２８２、主制御基板２９０からの各種制御信号を格納するＲＡＭ２８３、主制御基板２９０から送出される各種制御信号を受信する入出力回路（Ｉ／Ｏ）２８４、スピーカ７を駆動制御する駆動回路１４１、エラー表示電飾ランプ６、各電飾回路基板１００Ｂ、１０１Ｂを駆動制御する駆動回路１４２、及び回転用モータ１２５を駆動制御する駆動回路１４３等が配設されている。そして、このＣＰＵ２８１、ＲＯＭ２８２、ＲＡＭ２８３、及び入出力回路（Ｉ／Ｏ）２８４は、バス線により相互に接続されている。また、ＣＰＵ２８１にはクロック回路２８５が接続されて所定のクロック信号が入力される。また、入出力回路（Ｉ／Ｏ）２８４には、主制御基板２９０の入出力回路（Ｉ／Ｏ）２９４が接続されている。また、この入出力回路（Ｉ／Ｏ）２８４には、各駆動回路１４１、１４２、１４３が接続されている。また、この入出力回路（Ｉ／Ｏ）２８４には、透過型の各フォトセンサＳＷ１、ＳＷ２等が接続されている。
【００４４】
また、図２４に示すように、ＲＡＭ２８３には、クロック回路２８５から入力されるクロック信号に基づいて０から１９まで繰り返し１ずつ加算した数値（最大値１９の次には最小値０に戻る）が格納される表示パターン選択カウンタ２８３Ａが設けられている。かかる表示パターン選択カウンタ２８３Ａのカウント値は、主制御基板２９０から変動パターンの指示信号が入力されるタイミングで読み取られ、その読み取られたカウント値は、パラメータ記憶エリア２８３Ｂに記憶される。
【００４５】
そしてまた、図２５に示すように、ＲＯＭ２８２には、後述のフォトセンサ出力テーブル１４５（図２７参照）が格納されるフォトセンサ出力テーブル記憶エリア２８２Ａが設けられている。また、ＲＯＭ２８２には、後述の通常変動表示パターンテーブル１４６（図２７参照）及びリーチ変動表示パターンテーブル１４７（図２８参照）が格納される表示パターンテーブル記憶エリア２８２Ｂが設けられている。また、ＲＯＭ２８２には、後述の各表示パターンＡ１、Ｂ１、Ｃ１、Ｄ１、Ａ２、Ｂ２、Ｃ２、Ｄ２に対応して回転装飾部材８３を回転駆動する駆動タイミングを決定する各タイムチャート１５１Ａ〜１５８Ａ（図３０、図３１参照）が格納される回転駆動タイムチャート記憶エリア２８２Ｃが設けられている。更に、ＲＯＭ２８２には、演出表示基板２６０のＣＰＵ２６１に選択した表示パターンを指示すると共に、該表示パターンに対応するタイムチャートに基づいて回転装飾部材８３を所定角度まで回転させ、各回転停止位置でそれぞれ予め定められた時間停止させるための後述の各種のサブ制御プログラム（図３６等参照）が格納されている。
【００４６】
また、図２２に示すように、演出表示基板２６０には、ＣＰＵ２６１、表示制御プログラムや所要の表示データを格納するＲＯＭ２６２、表示指令、表示情報、入出力信号等を格納するＲＡＭ２６３、サブ統合制御基板２８０から送出される各種制御信号を受信する入出力回路（Ｉ／Ｏ）２６４、及びＣＰＵ２６１から送られた表示情報を受けて液晶表示器（ＬＣＤ）５２に対して画像を加工して表示するＶＤＰ（Video Display Processor）２６５等が配設されている。そして、このＣＰＵ２６１、ＲＯＭ２６２、ＲＡＭ２６３、入出力回路（Ｉ／Ｏ）２６４、及びＶＤＰ（Video Display Processor）２６５は、バス線により相互に接続されている。また、ＣＰＵ２６１にはクロック回路２６６が接続されて所定のクロック信号が入力される。そして、ＣＰＵ２６１は、サブ統合制御基板２８０から入力される表示パターン情報等の各種制御信号に基づいて、液晶表示器５２に所定の演出表示を行う。
また、図２６に示すように、ＲＯＭ２６２には、後述の通常回転変動座標テーブル１６１（図３４参照）とリーチ時回転変動座標テーブル１６２（図３５参照）とが格納される回転変動座標テーブル記憶エリア２６２Ａが設けられている。また、ＲＯＭ２６２には、後述の各表示パターンＡ１、Ｂ１、Ｃ１、Ｄ１、Ａ２、Ｂ２、Ｃ２、Ｄ２に対応して回転装飾部材８３の各回転停止位置に対応する変動表示態様を決定する各タイムチャート１５１Ｂ〜１５８Ｂ（図３２、図３３参照）が格納される回転表示タイムチャート記憶エリア２６２Ｂが設けられている。また、ＲＯＭ２６２には、液晶表示器（ＬＣＤ）５２に後述のように各透かし孔２００、２０１に対向する表示画面の第１付属変動領域３００と第２付属変動領域３０１（図４０等参照）に表示する予告キャラクタの画像データが格納される予告キャラクタ記憶エリア２６２Ｃが設けられている。
【００４７】
次に、サブ統合制御基板２８０のＲＯＭ２８２のフォトセンサ出力テーブル記憶エリア２８２Ａに記憶されるフォトセンサ出力テーブル１４５の一例について図２７に基づいて説明する。ここで、フォトセンサ出力テーブル１４５は、サブ統合制御基板２８０のＣＰＵ２８１が回転装飾部材８３の原点位置（０度）等の回転位置を各フォトセンサＳＷ１、ＳＷ２の出力信号によって判定する場合に使用するものである。
図２７に示すように、フォトセンサ出力テーブル１４５は、回転装飾部材８３の原点位置からの回転角度を表す「回転角度」と、回転装飾部材８３が各回転角度に位置した場合のフォトセンサＳＷ１の出力信号を表す「ＳＷ１」と、回転装飾部材８３が各回転角度に位置した場合のフォトセンサＳＷ２の出力信号を表す「ＳＷ２」とから構成されている。この「回転角度」は、回転装飾部材８３の原点マーク９２が位置マーク９１に対向した位置を原点位置（０度）とし、この原点位置から時計方向の回転角度を正の角度で表し、反時計方向の回転角度を負の角度で表す。
【００４８】
また、フォトセンサ出力テーブル１４５の「回転角度」には、「−１度」、「０度」、「１度」、・・・「８９度」、「９０度」、「９１度」、・・・「１７９度」、「１８０度」、「１８１度」、・・・の回転角度が予め格納されている。
また、フォトセンサ出力テーブル１４５の「ＳＷ１」には、「回転角度」の「−１度」及び「０度」に対応して「ＯＦＦ」、「回転角度」の「１度」に対応して「ＯＮ」、・・・、「回転角度」の「８９度」、「９０度」及び「９１度」に対応して「ＯＮ」、・・・、「回転角度」の「１７９度」に対応して「ＯＮ」、「回転角度」の「１８０度」及び「１８１度」に対応して「ＯＦＦ」、・・・のフォトセンサＳＷ１の出力信号が予め格納されている。
また、フォトセンサ出力テーブル１４５の「ＳＷ２」には、「回転角度」の「−１度」、「０度」及び「１度」に対応して「ＯＦＦ」、・・・、「回転角度」の「８９度」に対応して「ＯＦＦ」、「回転角度」の「９０度」及び「９１度」に対応して「ＯＮ」、・・・、「回転角度」の「１７９度」、「１８０度」及び「１８１度」に対応して「ＯＮ」、・・・のフォトセンサＳＷ２の出力信号が予め格納されている。
【００４９】
次に、サブ統合制御基板２８０のＲＯＭ２８２の表示パターンテーブル記憶エリア２８２Ｂに記憶される通常変動表示パターンテーブル１４６の一例について図２８に基づいて説明する。ここで、通常変動表示パターンテーブル１４６は、サブ統合制御基板２８０のＣＰＵ２８１が、主制御基板２９０のＣＰＵ２９１から各変動図柄を変動させて表示するように指示する通常変動パターンの指示信号が入力された際に、この通常変動パターンの指示信号に対応した表示パターンを選択する場合に使用するものである。
以下、主制御基板２９０のＣＰＵ２９１から通常変動パターンの一例として「通常変動パターンＸ１」の指示信号が入力された場合に使用する通常変動表示パターンテーブル１４６について説明する。
図２８に示すように、通常変動表示パターンテーブル１４６は、主制御基板２９０のＣＰＵ２９１から入力された通常変動パターンの指示信号を表す「指示信号」と、指示信号が入力された際の表示パターン選択カウンタ２８３Ａのカウント値を表す「カウント値」と、この「カウント値」に対応する「表示パターン」とから構成されている。
尚、後述のように、ＣＰＵ２８１は、この選択した表示パターンに対応する表示パターン情報を演出表示基板２６０のＣＰＵ２６１に出力する。
【００５０】
また、通常変動表示パターンテーブル１４６の「指示信号」には、変動パターンの一例として「通常変動パターンＸ１」が予め格納されている。
また、通常変動表示パターンテーブル１４６の「カウント値」には、「通常変動パターンＸ１」に対応して「０〜４」、「５〜９」、「１０〜１４」、「１５〜１９」の４種類のカウント値が予め格納されている。
また、通常変動表示パターンテーブル１４６の「表示パターン」には、「カウント値」の「０〜４」に対応して「表示パターンＡ１」、「カウント値」の「５〜９」に対応して「表示パターンＢ１」、「カウント値」の「１０〜１４」に対応して「表示パターンＣ１」、「カウント値」の「１５〜１９」に対応して「表示パターンＤ１」が予め格納されている。
尚、各表示パターンＡ１〜Ｄ１の演出表示時間は、すべて同一時間である（例えば、約５秒〜１０秒である。）。
また、通常変動表示パターンテーブル１４６の「指示信号」には「通常変動パターンＸ１」だけでなく、複数種類の通常変動パターンが格納されている。また、それぞれの「指示信号」に対して各「カウント値」と各「表示パターン」とが格納されている。
【００５１】
次に、サブ統合制御基板２８０のＲＯＭ２８２の表示パターンテーブル記憶エリア２８２Ｂに記憶されるリーチ変動表示パターンテーブル１４７の一例について図２９に基づいて説明する。ここで、リーチ変動表示パターンテーブル１４７は、サブ統合制御基板２８０のＣＰＵ２８１が、主制御基板２９０のＣＰＵ２９１から各変動図柄のうち所定の２列の変動図柄を停止して表示し、第３列目の変動図柄を変動させて表示するリーチ状態の表示をするように指示するリーチ変動パターンの指示信号が入力された際に、このリーチ変動パターンの指示信号に対応した表示パターンを選択する場合に使用するものである。
以下、主制御基板２９０のＣＰＵ２９１からリーチ変動パターンの一例として「リーチ変動パターンＹ１」の指示信号が入力された場合に使用するリーチ変動表示パターンテーブル１４７について説明する。
図２９に示すように、リーチ変動表示パターンテーブル１４７は、主制御基板２９０のＣＰＵ２９１から入力されたリーチ変動パターンの指示信号を表す「指示信号」と、指示信号が入力された際の表示パターン選択カウンタ２８３Ａのカウント値を表す「カウント値」と、この「カウント値」に対応する「表示パターン」とから構成されている。
尚、後述のように、ＣＰＵ２８１は、この選択した表示パターンに対応する表示パターン情報を演出表示基板２６０のＣＰＵ２６１に出力する。
【００５２】
また、リーチ変動表示パターンテーブル１４７の「指示信号」には、変動パターンの一例として「リーチ変動パターンＹ１」が予め格納されている。
また、リーチ変動表示パターンテーブル１４７の「カウント値」には、「リーチ変動パターンＹ１」に対応して「０〜４」、「５〜９」、「１０〜１４」、「１５〜１９」の４種類のカウント値が予め格納されている。
また、リーチ変動表示パターンテーブル１４７の「表示パターン」には、「カウント値」の「０〜４」に対応して「表示パターンＡ２」、「カウント値」の「５〜９」に対応して「表示パターンＢ２」、「カウント値」の「１０〜１４」に対応して「表示パターンＣ２」、「カウント値」の「１５〜１９」に対応して「表示パターンＤ２」が予め格納されている。
尚、各表示パターンＡ２〜Ｄ２の演出表示時間は、すべて同一時間である（例えば、約２０秒〜３０秒である。）。
また、リーチ変動表示パターンテーブル１４７の「指示信号」には「リーチ変動パターンＹ１」だけでなく、複数種類のリーチ変動パターンが格納されている。また、それぞれの「指示信号」に対して各「カウント値」と各「表示パターン」とが格納されている。
【００５３】
次に、サブ統合制御基板２８０のＲＯＭ２８２の回転駆動タイムチャート記憶エリア２８２Ｃに記憶される回転装飾部材８３を通常変動表示時に回転駆動する駆動タイミングを決定するタイムチャートの一例について図３０に基づいて説明する。
ここで、サブ統合制御基板２８０のＣＰＵ２８１は、後述のように、通常変動表示時に表示パターンを決定した場合には、この表示パターンを表示パターン情報として演出表示基板２６０のＣＰＵ２６１に出力すると共に、この表示パターンに対応するタイムチャートを回転駆動タイムチャート記憶エリア２８２Ｃから読み込み、回転装飾部材８３をこのタイムチャートに従って回転駆動する。そして、タイムチャートの終了時間、即ち、表示パターンの演出終了時間に達した場合には、ＣＰＵ２８１はＣＰＵ２６１に対して演出表示確定信号を出力する。
以下、各表示パターンＡ１〜Ｄ１のそれぞれに対応する各タイムチャートについて説明する。尚、各表示パターンＡ１〜Ｄ１の演出表示時間は時間Ｔ７（秒）（例えば、Ｔ７＝５〜１０（秒））である。
【００５４】
図３０（Ａ）に示すように、表示パターンＡ１に対応するタイムチャート１５１Ａは、ＣＰＵ２８１が回転装飾部材８３を停止位置から時計方向に約３０度回転駆動して停止させる各駆動時間を表すＴ１〜Ｔ２秒、Ｔ３〜Ｔ４秒、Ｔ５〜Ｔ６秒と、ＣＰＵ２８１がＣＰＵ２６１に対して変動確定指示を出力する時間を表すＴ７秒とから構成されている。
また、図３０（Ｂ）に示すように、表示パターンＢ１に対応するタイムチャート１５２Ａは、ＣＰＵ２８１が回転装飾部材８３を停止位置から時計方向に約３０度回転駆動して停止させる各駆動時間を表すＴ８〜Ｔ９秒、Ｔ１０〜Ｔ１１秒、Ｔ１２〜Ｔ１３秒と、ＣＰＵ２８１がＣＰＵ２６１に対して変動確定指示を出力する時間を表すＴ７秒とから構成されている。
また、図３０（Ｃ）に示すように、表示パターンＣ１に対応するタイムチャート１５３Ａは、ＣＰＵ２８１が回転装飾部材８３を停止位置から時計方向に約３０度回転駆動して停止させる各駆動時間を表すＴ１５〜Ｔ１６秒、Ｔ１７〜Ｔ１８秒、Ｔ１９〜Ｔ２０秒と、ＣＰＵ２８１がＣＰＵ２６１に対して変動確定指示を出力する時間を表すＴ７秒とから構成されている。
更に、図３０（Ｄ）に示すように、表示パターンＤ１に対応するタイムチャート１５４Ａは、ＣＰＵ２８１が回転装飾部材８３を停止位置から時計方向に約３０度回転駆動して停止させる各駆動時間を表すＴ２２〜Ｔ２３秒、Ｔ２４〜Ｔ２５秒、Ｔ２６〜Ｔ２７秒と、ＣＰＵ２８１がＣＰＵ２６１に対して変動確定指示を出力する時間を表すＴ７秒とから構成されている。
【００５５】
次に、サブ統合制御基板２８０のＲＯＭ２８２の回転駆動タイムチャート記憶エリア２８２Ｃに記憶される回転装飾部材８３を各変動図柄のうち所定の２列の変動図柄を停止して表示し、第３列目の変動図柄を変動させて表示するリーチ変動表示時に回転駆動する駆動タイミングを決定するタイムチャートの一例について図３１に基づいて説明する。
ここで、サブ統合制御基板２８０のＣＰＵ２８１は、後述のように、リーチ変動表示時に表示パターンを決定した場合には、この表示パターンを表示パターン情報として演出表示基板２６０のＣＰＵ２６１に出力すると共に、この表示パターンに対応するタイムチャートを回転駆動タイムチャート記憶エリア２８２Ｃから読み込み、回転装飾部材８３をこのタイムチャートに従って回転駆動する。そして、タイムチャートの終了時間、即ち、表示パターンの演出終了時間に達した場合には、ＣＰＵ２８１はＣＰＵ２６１に対して演出表示確定信号を出力する。
以下、各表示パターンＡ２〜Ｄ２のそれぞれに対応する各タイムチャートについて説明する。尚、各表示パターンＡ２〜Ｄ２の演出表示時間は時間Ｔ３７（秒）（例えば、Ｔ７＝２０〜３０（秒））である。
【００５６】
図３１（Ａ）に示すように、表示パターンＡ２に対応するタイムチャート１５５Ａは、ＣＰＵ２８１が回転装飾部材８３を停止位置から時計方向に約３０度回転駆動して停止させる各駆動時間を表すＴ３１〜Ｔ３２秒、Ｔ３３〜Ｔ３４秒、Ｔ３５〜Ｔ３６秒と、ＣＰＵ２８１がＣＰＵ２６１に対して変動確定指示を出力する時間を表すＴ３７秒とから構成されている。
また、図３１（Ｂ）に示すように、表示パターンＢ２に対応するタイムチャート１５６Ａは、ＣＰＵ２８１が回転装飾部材８３を停止位置から時計方向に約３０度回転駆動して停止させる各駆動時間を表すＴ４０〜Ｔ４１秒、Ｔ４２〜Ｔ４３秒、Ｔ４４〜Ｔ４５秒と、ＣＰＵ２８１がＣＰＵ２６１に対して変動確定指示を出力する時間を表すＴ３７秒とから構成されている。
また、図３１（Ｃ）に示すように、表示パターンＣ２に対応するタイムチャート１５７Ａは、ＣＰＵ２８１が回転装飾部材８３を停止位置から時計方向に約３０度回転駆動して停止させる各駆動時間を表すＴ４７〜Ｔ４８秒、Ｔ４９〜Ｔ５０秒、Ｔ５１〜Ｔ５２秒と、ＣＰＵ２８１がＣＰＵ２６１に対して変動確定指示を出力する時間を表すＴ３７秒とから構成されている。
更に、図３１（Ｄ）に示すように、表示パターンＤ２に対応するタイムチャート１５８Ａは、ＣＰＵ２８１が回転装飾部材８３を時計方向約３０度回転駆動して停止させる各駆動時間を表すＴ５５〜Ｔ５６秒、Ｔ５７〜Ｔ５８秒、Ｔ５９〜Ｔ６０秒と、ＣＰＵ２８１がＣＰＵ２６１に対して変動確定指示を出力する時間を表すＴ３７秒とから構成されている。
【００５７】
次に、演出表示基板２６０のＲＯＭ２６２の回転表示タイムチャート記憶エリア２６２Ｂに記憶されて、通常変動表示時に各表示パターンに対応して回転装飾部材８３の各回転停止位置に対応する変動表示態様を決定するタイムチャートの一例について図３２に基づいて説明する。
ここで、演出表示基板２６０のＣＰＵ２６１は、後述のようにサブ統合制御基板２８０のＣＰＵ２８１から表示パターン情報を入力された場合には、この表示パターン情報に対応する表示パターンをＲＯＭ２６２から読み出し、該表示パターンに対応するタイムチャートを回転表示タイムチャート記憶エリア２６２Ｂから読み込み、液晶表示器５２をこのタイムチャートに従って表示駆動する。そして、タイムチャートの終了時間、即ち、表示パターンの演出終了時間に達した場合には、ＣＰＵ２６１はＣＰＵ２８１から演出表示確定信号が入力されるのを待ち、該演出表示確定信号が入力された場合には、確定表示を行う。
以下、演出表示基板２６０のＣＰＵ２６１が、各表示パターンＡ１〜Ｄ１のそれぞれに対応して選択する各タイムチャートについて説明する。尚、各表示パターンＡ１〜Ｄ１の演出表示時間は時間Ｔ７（秒）（例えば、Ｔ７＝５〜１０（秒））である。
【００５８】
図３２（Ａ）に示すように、表示パターンＡ１に対応するタイムチャート１５１Ｂは、ＣＰＵ２６１が、回転装飾部材８３の原点位置（０度）からの各回転角度０度、３０度、６０度、９０度での停止時間に対応して通常変動表示を行う各表示時間を表す０〜Ｔ１秒、Ｔ２〜Ｔ３秒、Ｔ４〜Ｔ５秒、Ｔ６〜Ｔ７秒から構成されている。
また、図３２（Ｂ）に示すように、表示パターンＢ１に対応するタイムチャート１５２Ｂは、ＣＰＵ２６１が、回転装飾部材８３の原点位置（０度）からの各回転角度０度、３０度、６０度、９０度での停止時間に対応して通常変動表示を行う各表示時間を表す０〜Ｔ８秒、Ｔ９〜Ｔ１０秒、Ｔ１１〜Ｔ１２秒、Ｔ１３〜Ｔ７秒から構成されている。
また、図３２（Ｃ）に示すように、表示パターンＣ１に対応するタイムチャート１５３Ｂは、ＣＰＵ２６１が、回転装飾部材８３の原点位置（０度）からの各回転角度０度、３０度、６０度、９０度での停止時間に対応して通常変動表示を行う各表示時間を表す０〜Ｔ１５秒、Ｔ１６〜Ｔ１１７秒、Ｔ１８〜Ｔ１９秒、Ｔ２０〜Ｔ７秒から構成されている。
更に、図３２（Ｄ）に示すように、表示パターンＤ１に対応するタイムチャート１５４Ｂは、ＣＰＵ２６１が、回転装飾部材８３の原点位置（０度）からの各回転角度０度、３０度、６０度、９０度での停止時間に対応して通常変動表示を行う各表示時間を表す０〜Ｔ２２秒、Ｔ２３〜Ｔ２４秒、Ｔ２５〜Ｔ２６秒、Ｔ２７〜Ｔ７秒から構成されている。
【００５９】
次に、演出表示基板２６０のＲＯＭ２６２の回転表示タイムチャート記憶エリア２６２Ｂに記憶されて、各変動図柄のうち所定の２列の変動図柄を停止して表示し、第３列目の変動図柄を変動させて表示するリーチ変動表示時に各表示パターンに対応して回転装飾部材の各回転停止位置に対応する変動表示態様を決定するタイムチャートの一例について図３３に基づいて説明する。
ここで、演出表示基板２６０のＣＰＵ２６１は、後述のようにサブ統合制御基板２８０のＣＰＵ２８１から表示パターン情報を入力された場合には、この表示パターン情報に対応する表示パターンをＲＯＭ２６２から読み出し、該表示パターンに対応するタイムチャートを回転表示タイムチャート記憶エリア２６２Ｂから読み込み、液晶表示器５２をこのタイムチャートに従って表示駆動する。そして、タイムチャートの終了時間、即ち、表示パターンの演出終了時間に達した場合には、ＣＰＵ２６１はＣＰＵ２８１から演出表示確定信号が入力されるのを待ち、該演出表示確定信号が入力された場合には、確定表示を行う。
以下、演出表示基板２６０のＣＰＵ２６１が、各表示パターンＡ２〜Ｄ２のそれぞれに対応して選択する各タイムチャートについて説明する。尚、各表示パターンＡ２〜Ｄ２の演出表示時間は時間Ｔ３７（秒）（例えば、Ｔ３７＝２０〜３０（秒））である。
【００６０】
図３３（Ａ）に示すように、表示パターンＡ２に対応するタイムチャート１５５Ｂは、ＣＰＵ２６１が、回転装飾部材８３の原点位置（０度）からの各回転角度０度、３０度、６０度、９０度での停止時間に対応してリーチ変動表示を行う各表示時間を表す０〜Ｔ３１秒、Ｔ３２〜Ｔ３３秒、Ｔ３４〜Ｔ３５秒、Ｔ３６〜Ｔ３７秒から構成されている。また、回転装飾部材８３の原点位置（０度）からの回転角度９０度での停止時間（Ｔ３６〜Ｔ３７秒）に対応するリーチ変動表示時に予告表示はされない。
また、図３３（Ｂ）に示すように、表示パターンＢ２に対応するタイムチャート１５６Ｂは、ＣＰＵ２６１が、回転装飾部材８３の原点位置（０度）からの各回転角度０度、３０度、６０度、９０度での停止時間に対応してリーチ変動表示を行う各表示時間を表す０〜Ｔ４０秒、Ｔ４１〜Ｔ４２秒、Ｔ４３〜Ｔ４４秒、Ｔ４５〜Ｔ３７秒から構成されている。また、ＣＰＵ２６１が、回転装飾部材８３の原点位置（０度）からの回転角度９０度での停止時間（Ｔ４５〜Ｔ３７秒）のリーチ変動表示時に予告キャラクタを停止表示して予告表示を行う時間Ｔ４６（秒）から構成されている。
【００６１】
また、図３３（Ｃ）に示すように、表示パターンＣ２に対応するタイムチャート１５７Ｂは、ＣＰＵ２６１が、回転装飾部材８３の原点位置（０度）からの各回転角度０度、３０度、６０度、９０度での停止時間に対応してリーチ変動表示を行う各表示時間を表す０〜Ｔ４７秒、Ｔ４８〜Ｔ４９秒、Ｔ５０〜Ｔ５１秒、Ｔ５２〜Ｔ３７秒から構成されている。また、ＣＰＵ２６１が、回転装飾部材８３の原点位置（０度）からの回転角度９０度での停止時間（Ｔ５２〜Ｔ３７秒）のリーチ変動表示時に予告キャラクタを停止表示して予告表示を行う時間Ｔ５３（秒）から構成されている。
更に、図３３（Ｄ）に示すように、表示パターンＤ２に対応するタイムチャート１５８Ｂは、ＣＰＵ２６１が、回転装飾部材８３の原点位置（０度）からの各回転角度０度、３０度、６０度、９０度での停止時間に対応してリーチ変動表示を行う各表示時間を表す０〜Ｔ５５秒、Ｔ５６〜Ｔ５７秒、Ｔ５８〜Ｔ５９秒、Ｔ６０〜Ｔ３７秒から構成されている。また、ＣＰＵ２６１が、回転装飾部材８３の原点位置（０度）からの回転角度９０度での停止時間（Ｔ６０〜Ｔ３７秒）のリーチ変動表示時に予告キャラクタを停止表示して予告表示を行う時間Ｔ６１（秒）から構成されている。
【００６２】
次に、演出表示基板２６０のＲＯＭ２６２の回転変動座標テーブル記憶エリア２６２Ａに記憶される通常回転変動座標テーブル１６１の一例について図３４に基づいて説明する。ここで、通常回転変動座標テーブル１６１は、演出表示基板２６０のＣＰＵ２６１が、サブ統合制御基板２８０のＣＰＵ２８１から通常変動表示の表示パターン情報を入力された際に、この表示パターン情報に対応する表示パターンをＲＯＭ２６２から読み出し、該表示パターンに対応して各変動図柄を各回転角度に回転して通常変動表示する場合に使用するものである。
【００６３】
図３４に示すように、通常回転変動座標テーブル１６１は、回転装飾部材８３の原点位置（０度）から時計方向に回転した回転角度を表す「回転角度」と、回転装飾部材８３の各回転位置における第４開口部８７に対応する変動領域の各頂点の座標を時計回りに表す「変動領域座標」と、この変動領域の回転中心から両外側の各変動図柄のスクロール位置までの距離を表す「通常距離」と、回転装飾部材８３の各回転位置における透かし孔２００に対応する変動領域の各頂点の座標を時計回りに表す「第１付属変動領域座標」と、回転装飾部材８３の各回転位置における透かし孔２０１に対応する変動領域の各頂点の座標を時計回りに表す「第２付属変動領域座標」と、回転装飾部材８３の各回転位置における各変動図柄のスクロール方向を表す「スクロール方向」とから構成されている。
【００６４】
また、通常回転変動座標テーブル１６１の「回転角度」には、「０度」、「３０度」、「６０度」、「９０度」の４種類の角度が予め格納されている。
また、通常回転変動座標テーブル１６１の「変動領域座標」には、「回転角度」の「０度」に対応して「（Ｘ１、Ｙ１）、（Ｘ１、Ｙ２）、（Ｘ２、Ｙ２）、（Ｘ２、Ｙ１）」、「回転角度」の「３０度」に対応して「（Ｘ３、Ｙ３）、（Ｘ４、Ｙ４）、（Ｘ５、Ｙ５）、（Ｘ６、Ｙ６）」、「回転角度」の「６０度」に対応して「（Ｘ７、Ｙ７）、（Ｘ８、Ｙ８）、（Ｘ９、Ｙ９）、（Ｘ１０、Ｙ１０）」、「回転角度」の「９０度」に対応して「（Ｘ１１、Ｙ１１）、（Ｘ１１、Ｙ１２）、（Ｘ１２、Ｙ１２）、（Ｘ１２、Ｙ１１）」が予め格納されている。
また、通常回転変動座標テーブル１６１の「通常距離」には、「回転角度」の「０度」、「３０度」、「６０度」、「９０度」に対応して「Ｌ１」が予め格納されている。
【００６５】
また、通常回転変動座標テーブル１６１の「第１付属変動領域座標」には、「回転角度」の「０度」に対応して「（Ｘ１００、Ｙ１０１）、（Ｘ１００、Ｙ１）、（Ｘ１０１、Ｙ１）、（Ｘ１０１、Ｙ１０１）」、「回転角度」の「３０度」に対応して「（Ｘ１０７、Ｙ１０７）、（Ｘ１０８、Ｙ１０８）、（Ｘ１０９、Ｙ１０９）、（Ｘ１１０、Ｙ１１０）」、「回転角度」の「６０度」に対応して「（Ｘ１１５、Ｙ１１５）、（Ｘ１１６、Ｙ１１６）、（Ｘ１１７、Ｙ１１７）、（Ｘ１１８、Ｙ１１８）」、「回転角度」の「９０度」に対応して「（Ｘ１２１、Ｙ１２０）、（Ｘ１１、Ｙ１２０）、（Ｘ１１、Ｙ１２１）、（Ｘ１２１、Ｙ１２１）」が予め格納されている。
また、通常回転変動座標テーブル１６１の「第２付属変動領域座標」には、「回転角度」の「０度」に対応して「（Ｘ１００、Ｙ２）、（Ｘ１００、Ｙ１００）、（Ｘ１０１、Ｙ１００）、（Ｘ１０１、Ｙ２）」、「回転角度」の「３０度」に対応して「（Ｘ１０３、Ｙ１０３）、（Ｘ１０４、Ｙ１０４）、（Ｘ１０５、Ｙ１０５）、（Ｘ１０６、Ｙ１０６）」、「回転角度」の「６０度」に対応して「（Ｘ１１１、Ｙ１１１）、（Ｘ１１２、Ｙ１１２）、（Ｘ１１３、Ｙ１１３）、（Ｘ１１４、Ｙ１１４）」、「回転角度」の「９０度」に対応して「（Ｘ１２、Ｙ１２０）、（Ｘ１２０、Ｙ１２０）、（Ｘ１２０、Ｙ１２１）、（Ｘ１２、Ｙ１２１）」が予め格納されている。
【００６６】
また、通常回転変動座標テーブル１６１の「スクロール方向」には、「回転角度」の「０度」に対応して「右向き」、「回転角度」の「３０度」に対応して「３０度右下向き」、「回転角度」の「６０度」に対応して「６０度右下向き」、「回転角度」の「９０度」に対応して「下向き」が予め格納されている。
尚、通常回転変動座標テーブル１６１の「回転角度」には、「０度」、「３０度」、「６０度」、「９０度」の４種類の角度について「変動領域座標」、「通常距離」、「第１付属変動領域」、「第２付属変動領域」及び「スクロール方向」を格納したが、「０度」、「１度」、「２度」、・・・・、「１７９度」、「１８０度」等、種々の角度について「変動領域座標」、「通常距離」、「第１付属変動領域」、「第２付属変動領域」及び「スクロール方向」を格納してもよい。
【００６７】
次に、演出表示基板２６０のＲＯＭ２６２の回転変動座標テーブル記憶エリア２６２Ａに記憶されるリーチ時回転変動座標テーブル１６２の一例について図３５に基づいて説明する。ここで、リーチ時回転変動座標テーブル１６２は、演出表示基板２６０のＣＰＵ２６１が、サブ統合制御基板２８０のＣＰＵ２８１からリーチ変動表示の表示パターン情報を入力された際に、この表示パターン情報に対応する表示パターンをＲＯＭ２６２から読み出し、該表示パターンに対応して各変動図柄を各回転角度に回転して変動表示する場合に使用するものである。
【００６８】
図３５に示すように、リーチ時回転変動座標テーブル１６２は、回転装飾部材８３の原点位置（０度）から時計方向に回転した回転角度を表す「回転角度」と、回転装飾部材８３の各回転位置における第４開口部８７に対応する変動領域の各頂点の座標を時計回りに表す「変動領域座標」と、この変動領域の回転中心から変動中の変動図柄のスクロール位置までの距離を表す「リーチ距離」と、回転装飾部材８３の各回転位置における透かし孔２００に対応する変動領域の各頂点の座標を時計回りに表す「第１付属変動領域座標」と、回転装飾部材８３の各回転位置における透かし孔２０１に対応する変動領域の各頂点の座標を時計回りに表す「第２付属変動領域座標」と、回転装飾部材８３の各回転位置における変動中の変動図柄のスクロール方向を表す「スクロール方向」と、最初に停止表示された停止図柄を表示する表示領域の各頂点の座標を時計回りに表す「第１図柄表示領域」と、２番目に停止表示された停止図柄を表示する表示領域の各頂点の座標を時計回りに表す「第２図柄表示領域」とから構成されている。
【００６９】
また、リーチ時回転変動座標テーブル１６２の「回転角度」には、「０度」、「３０度」、「６０度」、「９０度」の４種類の角度が予め格納されている。
また、リーチ時回転変動座標テーブル１６２の「変動領域座標」には、「回転角度」の「０度」に対応して「（Ｘ１、Ｙ１）、（Ｘ１、Ｙ２）、（Ｘ２、Ｙ２）、（Ｘ２、Ｙ１）」、「回転角度」の「３０度」に対応して「（Ｘ３、Ｙ３）、（Ｘ４、Ｙ４）、（Ｘ５、Ｙ５）、（Ｘ６、Ｙ６）」、「回転角度」の「６０度」に対応して「（Ｘ７、Ｙ７）、（Ｘ８、Ｙ８）、（Ｘ９、Ｙ９）、（Ｘ１０、Ｙ１０）」、「回転角度」の「９０度」に対応して「（Ｘ１１、Ｙ１１）、（Ｘ１１、Ｙ１２）、（Ｘ１２、Ｙ１２）、（Ｘ１２、Ｙ１１）」が予め格納されている。
また、リーチ時回転変動座標テーブル１６２の「リーチ距離」には、「回転角度」の「０度」、「３０度」、「６０度」、「９０度」に対応して「Ｌ２」が予め格納されている。
【００７０】
また、リーチ時回転変動座標テーブル１６２の「第１付属変動領域座標」には、「回転角度」の「０度」に対応して「（Ｘ１００、Ｙ１０１）、（Ｘ１００、Ｙ１）、（Ｘ１０１、Ｙ１）、（Ｘ１０１、Ｙ１０１）」、「回転角度」の「３０度」に対応して「（Ｘ１０７、Ｙ１０７）、（Ｘ１０８、Ｙ１０８）、（Ｘ１０９、Ｙ１０９）、（Ｘ１１０、Ｙ１１０）」、「回転角度」の「６０度」に対応して「（Ｘ１１５、Ｙ１１５）、（Ｘ１１６、Ｙ１１６）、（Ｘ１１７、Ｙ１１７）、（Ｘ１１８、Ｙ１１８）」、「回転角度」の「９０度」に対応して「（Ｘ１２１、Ｙ１２０）、（Ｘ１１、Ｙ１２０）、（Ｘ１１、Ｙ１２１）、（Ｘ１２１、Ｙ１２１）」が予め格納されている。
また、リーチ時回転変動座標テーブル１６２の「第２付属変動領域座標」には、「回転角度」の「０度」に対応して「（Ｘ１００、Ｙ２）、（Ｘ１００、Ｙ１００）、（Ｘ１０１、Ｙ１００）、（Ｘ１０１、Ｙ２）」、「回転角度」の「３０度」に対応して「（Ｘ１０３、Ｙ１０３）、（Ｘ１０４、Ｙ１０４）、（Ｘ１０５、Ｙ１０５）、（Ｘ１０６、Ｙ１０６）」、「回転角度」の「６０度」に対応して「（Ｘ１１１、Ｙ１１１）、（Ｘ１１２、Ｙ１１２）、（Ｘ１１３、Ｙ１１３）、（Ｘ１１４、Ｙ１１４）」、「回転角度」の「９０度」に対応して「（Ｘ１２、Ｙ１２０）、（Ｘ１２０、Ｙ１２０）、（Ｘ１２０、Ｙ１２１）、（Ｘ１２、Ｙ１２１）」が予め格納されている。
【００７１】
また、リーチ時回転変動座標テーブル１６２の「スクロール方向」には、「回転角度」の「０度」に対応して「右向き」、「回転角度」の「３０度」に対応して「３０度右下向き」、「回転角度」の「６０度」に対応して「６０度右下向き」、「回転角度」の「９０度」に対応して「下向き」が予め格納されている。
また、リーチ時回転変動座標テーブル１６２の「第１図柄表示領域」には、「回転角度」の「０度」に対応して「（Ｘ２１、Ｙ２１）、（Ｘ２１、Ｙ２２）、（Ｘ２２、Ｙ２２）、（Ｘ２２、Ｙ２１）」、「回転角度」の「３０度」に対応して「（Ｘ２５、Ｙ２５）、（Ｘ２５、Ｙ２６）、（Ｘ２６、Ｙ２６）、（Ｘ２６、Ｙ２５）」、「回転角度」の「６０度」に対応して「（Ｘ３０、Ｙ３０）、（Ｘ３０、Ｙ３１）、（Ｘ３１、Ｙ３１）、（Ｘ３１、Ｙ３０）」、「回転角度」の「９０度」に対応して「（Ｘ３５、Ｙ３５）、（Ｘ３５、Ｙ３６）、（Ｘ３６、Ｙ３６）、（Ｘ３６、Ｙ３５）」が予め格納されている。
【００７２】
また、リーチ時回転変動座標テーブル１６２の「第２図柄表示領域」には、「回転角度」の「０度」に対応して「（Ｘ２３、Ｙ２１）、（Ｘ２３、Ｙ２２）、（Ｘ２４、Ｙ２２）、（Ｘ２４、Ｙ２１）」、「回転角度」の「３０度」に対応して「（Ｘ２７、Ｙ２７）、（Ｘ２７、Ｙ２８）、（Ｘ２８、Ｙ２８）、（Ｘ２８、Ｙ２７）」、「回転角度」の「６０度」に対応して「（Ｘ３２、Ｙ３２）、（Ｘ３２、Ｙ３３）、（Ｘ３３、Ｙ３３）、（Ｘ３３、Ｙ３２）」、「回転角度」の「９０度」に対応して「（Ｘ３５、Ｙ３７）、（Ｘ３５、Ｙ３８）、（Ｘ３６、Ｙ３８）、（Ｘ３６、Ｙ３７）」が予め格納されている。
尚、リーチ時回転変動座標テーブル１６２の「回転角度」には、「０度」、「３０度」、「６０度」、「９０度」の４種類の角度について「変動領域座標」、「リーチ距離」、「第１付属変動領域」、「第２付属変動領域」、「スクロール方向」、「第１図柄表示領域」、「第２図柄表示領域」を格納したが、「０度」、「１度」、「２度」、・・・・、「１７９度」、「１８０度」等、種々の角度について「変動領域座標」、「リーチ距離」、「第１付属変動領域」、「第２付属変動領域」、「スクロール方向」、「第１図柄表示領域」、「第２図柄表示領域」を格納してもよい。
【００７３】
次に、サブ統合制御基板２８０のＣＰＵ２８１が、回転装飾部材８３を原点位置（０度）から時計方向約９０度まで回転駆動する際に、各回転角度での通常変動表示時に実行する「通常回転変動処理」のサブ処理について図３６に基づいて説明する。
図３６に示すように、先ず、ステップ（以下、Ｓという）１において、ＣＰＵ２８１は、主制御基板２９０のＣＰＵ２９１から入力された「指示情報」としての「通常変動パターンの指示信号」と「最終停止図柄」をＲＡＭ２８３に記憶する。
また、Ｓ２において、ＣＰＵ２８１は、「通常変動パターンの指示信号」が入力された時の表示パターン選択カウンタ２８３Ａのカウント値を読み出し、このカウント値をパラメータ記憶エリア２８３Ｂに記憶する。
【００７４】
そして、Ｓ３において、ＣＰＵ２８１は、主制御基板２９０のＣＰＵ２９１から入力された通常変動パターンの指示信号の入力時の表示パターン選択カウンタ２８３Ａのカウント値をパラメータ記憶エリア２８３Ｂから再度読み出し、このカウント値に対応する表示パターンを通常変動表示パターンテーブル１４６から読み込みパラメータ記憶エリア２８３Ｂに記憶する。
例えば、主制御基板２９０のＣＰＵ２９１から入力された通常変動パターンの指示信号が「通常変動パターンＸ１」で、パラメータ記憶エリア２８３Ｂから読み出したカウント値が「３」の場合には、通常変動表示パターンテーブル１４６から表示パターンとして「表示パターンＡ１」を読み込みパラメータ記憶エリア２８３Ｂに記憶する。
【００７５】
そして、Ｓ４において、ＣＰＵ２８１は、 パラメータ記憶エリア２８３Ｂから表示パターンを再度読み出すと共に、ＲＡＭ２６３から最終停止図柄を読み出し、該表示パターンに対応する表示パターン情報及び最終停止図柄を演出表示基板２６０のＣＰＵ２６１に演出表示指示情報として出力する。即ち、ＣＰＵ２８１は、ＣＰＵ２６１に通常変動表示の表示パターンと最終停止図柄を指示する。
そしてまた、Ｓ５において、ＣＰＵ２８１は、各フォトセンサＳＷ１、ＳＷ２からの入力信号がＯＦＦか否かを判定する判定処理を実行する。
そして、各フォトセンサＳＷ１、ＳＷ２からの入力信号が共にＯＦＦでない場合には（Ｓ４：ＮＯ）、Ｓ６において、ＣＰＵ２８１は、回転装飾部材８３が原点位置（０度）に位置していないと判定し、異常処理を行うサブ処理を実行する。
一方、各フォトセンサＳＷ１、ＳＷ２からの入力信号が共にＯＦＦの場合には（Ｓ４：ＹＥＳ）、Ｓ７において、ＣＰＵ２８１は、回転装飾部材８３の原点位置（０度）から時計方向への回転角度を表す角度変数Ｎをパラメータ記憶エリア２８３Ｂから読み出し、この角度変数Ｎに０度を表す「０」を代入して、再度パラメータ記憶エリア２８３Ｂに記憶する。
【００７６】
そして、Ｓ８において、ＣＰＵ２８１は、パラメータ記憶エリア２８３Ｂから表示パターンを読み出し、該表示パターンに対応するタイムチャートを回転駆動タイムチャート記憶エリア２８２Ｃから読み出し、ＲＡＭ２８３に記憶する。そしてまた、このタイムーチャートから回転角度「Ｎ度」（Ｎは、角度変数Ｎの値である。）の変動表示時間が経過するのを待つ、即ち、回転装飾部材８３を停止位置から時計方向に約３０度回転させる次の駆動開始時間を読み込み、当該時間になるのを待つ（Ｓ８：ＮＯ）。
例えば、表示パターンＡ１の場合には、ＣＰＵ２８１は、回転駆動タイムチャート記憶エリア２８２Ｃからタイムチャート１５１Ａ（図３０参照）を読み出す。そして、ＣＰＵ２８１は、パラメータ記憶エリア２８３Ｂから角度変数Ｎを読み出し、該角度変数Ｎが「０」の場合には、このタイムチャート１５１Ａから「３０度回転」を開始する時間Ｔ１秒を読み込み、時間Ｔ１秒になるのを待つ。また、ＣＰＵ２８１は、パラメータ記憶エリア２８３Ｂから角度変数Ｎを読み出し、該角度変数Ｎが「３０」の場合には、このタイムチャート１５１Ａから「６０度回転」を開始する時間Ｔ３秒を読み込み、時間Ｔ３秒になるのを待つ。また、ＣＰＵ２８１は、パラメータ記憶エリア２８３Ｂから角度変数Ｎを読み出し、該角度変数Ｎが「６０」の場合には、このタイムチャート１５１Ａから「９０度回転」を開始する時間Ｔ５秒を読み込み、時間Ｔ５秒になるのを待つ。また、ＣＰＵ２８１は、パラメータ記憶エリア２８３Ｂから角度変数Ｎを読み出し、該角度変数Ｎが「９０」の場合には、このタイムチャート１５１Ａから演出表示の終了時間Ｔ７秒を読み込み、時間Ｔ７秒になるのを待つ。
【００７７】
続いて、当該回転角度「Ｎ度」の変動表示時間が経過した場合には、即ち、回転装飾部材８３を停止位置から時計方向に約３０度回転させる次の駆動開始時間になった場合には（Ｓ８：ＹＥＳ）、Ｓ９において、ＣＰＵ２８１は、パラメータ記憶エリア２８３Ｂから角度変数Ｎを読み出し、この角度変数Ｎに「３０」加算して、再度パラメータ記憶エリア２８３Ｂに記憶する。
そしてまた、Ｓ１０において、ＣＰＵ２８１は、再度パラメータ記憶エリア２８３Ｂから角度変数Ｎを読み出し、「９０」より大きいか否かを判定する判定処理を実行する。そして、角度変数Ｎが「９０」以下の場合には（Ｓ１０：ＮＯ）、Ｓ１１において、ＣＰＵ２８１は、回転装飾部材８３を原点位置から時計方向にＮ度回転した位置に達するまで回転させる後述の「Ｎ度回転処理」のサブ処理を実行後、再度、Ｓ８以降の処理を実行する。
一方、角度変数Ｎが「９０」より大きい場合には（Ｓ１０：ＹＥＳ）、Ｓ１２において、ＣＰＵ２８１は、ＣＰＵ２６１に変動確定指示を出力後、Ｓ１３において、回転装飾部材８３を時計方向約９０度まで回転した位置から反時計方向に原点位置（０度）まで回転駆動する後述の「９０度〜０度回転処理」のサブ処理を実行後、当該サブ処理を終了する。
【００７８】
次に、サブ統合制御基板２８０のＣＰＵ２８１が実行する上記「Ｎ度回転処理」のサブ処理（Ｓ１１）について図３７に基づいて説明する。
図３７に示すように、Ｓ２１において、ＣＰＵ２８１は、パラメータ記憶エリア２８３Ｂから角度変数Ｎを読み出し、角度変数Ｎが「９０」か否かを判定する判定処理を実行する。
そして、角度変数Ｎが「９０」でない場合には（Ｓ２１：ＮＯ）、Ｓ２２において、ＣＰＵ２８１は、ＲＯＭ２８２から回転用モータ１２５の回転速度ＤＴ（度／秒）を読み出し、ＲＡＭ２８３に記憶する。そして、ＣＰＵ２８１は、回転用モータ１２５を回転速度ＤＴ（度／秒）で時計方向に正回転させ、回転装飾部材８３を対応した回転速度（例えば、３０÷（Ｔ２−Ｔ１）（度／秒）の回転速度である。）で時計方向に回転駆動する。
【００７９】
続いて、Ｓ２３において、ＣＰＵ２８１は、ＲＡＭ２８３からタイムチャートを読み出し、各角度への回転駆動時間を読み出し、当該駆動時間が経過するのを待つ（Ｓ２３：ＮＯ）。
例えば、ＲＡＭ２８３からタイムチャート１５１を読み出した場合には、角度変数Ｎが「３０」のときは、回転用モータ１２５の回転開始から（Ｔ２−Ｔ１）秒経過するのを待つ。また、ＲＡＭ２８３からタイムチャート１５１を読み出した場合には、角度変数Ｎが「６０」のときは、回転用モータ１２５の回転開始から（Ｔ４−Ｔ３）秒経過するのを待つ。
そして、当該駆動時間が経過した場合には（Ｓ２３：ＹＥＳ）、Ｓ２４において、ＣＰＵ２８１は、駆動回路１４３を介して回転用モータ１２５の回転駆動を停止して、回転装飾部材８３を停止後、当該サブ処理を終了して、「通常回転変動処理」のサブ処理に戻る。
【００８０】
他方、Ｓ２１で、角度変数Ｎが「９０」の場合には（Ｓ２１：ＹＥＳ）、Ｓ２５において、ＣＰＵ２８１は、回転用モータ１２５を回転速度ＤＴ（度／秒）で時計方向に正回転させ、回転装飾部材８３を対応した回転速度（例えば、３０÷（Ｔ２−Ｔ１）（度／秒）の回転速度である。）で時計方向に回転駆動する。
また、Ｓ２６において、ＣＰＵ２８１は、回転用モータ１２５の正回転開始から所定時間（例えば、約１秒〜３秒である。）経過後、フォトセンサＳＷ１からの入力信号がＯＮか否かを判定する判定処理を実行する。そして、フォトセンサＳＷ１からの入力信号がＯＮでない場合、即ちＯＦＦの場合には（Ｓ２６：ＮＯ）、ＣＰＵ２８１は、回転装飾部材８３が回転していないと判定して、Ｓ２７において、異常処理を行うサブ処理を実行する。
【００８１】
一方、フォトセンサＳＷ１からの入力信号がＯＮの場合には（Ｓ２６：ＹＥＳ）、ＣＰＵ２８１は、回転装飾部材８３が時計方向に回転していると判定して、Ｓ２８において、フォトセンサＳＷ２からの入力信号がＯＦＦからＯＮに変化したか否か、即ち、回転装飾部材８３が時計方向に約９０度回転したか否かを判定する判定処理を実行する。
そして、フォトセンサＳＷ２からの入力信号がＯＦＦからＯＮに変化していない場合には（Ｓ２８：ＮＯ）、ＣＰＵ２８１は、回転装飾部材８３が時計方向に未だ９０度回転していないと判定して、回転用モータ１２５の正回転駆動を継続する。
一方、フォトセンサＳＷ２からの入力信号がＯＦＦからＯＮに変化した場合には（Ｓ２８：ＹＥＳ）、ＣＰＵ２８１は、回転装飾部材８３が原点位置から時計方向に約９０度回転したと判定して、Ｓ２４において、駆動回路１４３を介して回転用モータ１２５の回転駆動を停止して、回転装飾部材８３を原点位置から時計方向約９０度回転した位置に停止後、当該サブ処理を終了して「通常回転変動処理」のサブ処理に戻る。
尚、上記Ｓ２６の処理を実行することなく、Ｓ２５の処理を実行後、続いてＳ２８の処理を実行するようにしてもよい。
【００８２】
次に、サブ統合制御基板２８０のＣＰＵ２８１が、回転装飾部材８３を時計方向約９０度まで回転した位置から反時計方向に原点位置（０度）まで回転駆動する際に実行する「９０度〜０度回転処理」のサブ処理（Ｓ１３）について図３８に基づいて説明する。
図３８に示すように、Ｓ３１において、ＣＰＵ２８１は、各フォトセンサＳＷ１、ＳＷ２からの入力信号がＯＮか否かを判定する判定処理を実行する。
そして、各フォトセンサＳＷ１、ＳＷ２からの入力信号が共にＯＮでない場合には（Ｓ３１：ＮＯ）、Ｓ３２において、ＣＰＵ２８１は、回転装飾部材８３が時計方向約９０度まで回転した位置に位置していないと判定し、異常処理を行うサブ処理を実行する。
一方、各フォトセンサＳＷ１、ＳＷ２からの入力信号が共にＯＮの場合には（Ｓ３１：ＹＥＳ）、Ｓ３３において、ＣＰＵ２８１は、駆動回路１４３を介して回転用モータ１２５を所定回転速度で反時計方向に逆回転させ、回転装飾部材８３を駆動時間に対応した回転速度で反時計方向に回転駆動する。
【００８３】
また、Ｓ３４において、ＣＰＵ２８１は、回転用モータ１２５の逆回転開始から所定時間（例えば、約１秒〜３秒である。）経過後、フォトセンサＳＷ２からの入力信号がＯＦＦか否かを判定する判定処理を実行する。そして、フォトセンサＳＷ２からの入力信号がＯＦＦでない場合、即ちＯＮの場合には（Ｓ３４：ＮＯ）、ＣＰＵ２８１は、回転装飾部材８３が回転していないと判定して、Ｓ３２以降の処理を実行する。
他方、フォトセンサＳＷ２からの入力信号がＯＦＦの場合には（Ｓ３４：ＹＥＳ）、ＣＰＵ２８１は、回転装飾部材８３が反時計方向に回転していると判定して、Ｓ３５において、フォトセンサＳＷ１からの入力信号がＯＮからＯＦＦに変化したか否か、即ち、回転装飾部材８３が回転開始から反時計方向に約９０度回転して原点位置（０度）に達したか否かを判定する判定処理を実行する。
【００８４】
そして、フォトセンサＳＷ１からの入力信号がＯＮからＯＦＦに変化していない場合には（Ｓ３５：ＮＯ）、ＣＰＵ２８１は、回転装飾部材８３が回転開始から反時計方向に未だ９０度回転していないと判定して、再度、Ｓ３３以降の処理を実行する。
一方、フォトセンサＳＷ１からの入力信号がＯＮからＯＦＦに変化した場合には（Ｓ３５：ＹＥＳ）、ＣＰＵ２８１は、回転装飾部材８３が回転開始から反時計方向に約９０度回転して原点位置（０度）に達したと判定して、Ｓ３６において、駆動回路１４３を介して回転用モータ１２５の回転駆動を停止後、当該サブ処理を終了して「通常回転変動処理」のサブ処理に戻る。
【００８５】
次に、演出表示基板２６０のＣＰＵ２６１が、サブ統合制御基板２８０のＣＰＵ２８１から通常変動表示の表示パターン情報を入力された場合に実行する「回転変動表示処理」のサブ処理について図３９乃至図４２に基づいて説明する。
図３９に示すように、先ず、Ｓ４１において、ＣＰＵ２６１は、ＣＰＵ２８１から回転変動表示の指示が入力されたか否か、即ち、通常変動表示の表示パターン情報としての表示パターンと最終停止図柄の演出表示指示情報が入力されたか否かを判定する判定処理を実行する。そして、当該指示が入力されていない場合には（Ｓ４１：ＮＯ）、ＣＰＵ２６１は、当該サブ処理を終了してメインフローチャートに戻る。
【００８６】
一方、ＣＰＵ２８１から回転変動表示の指示が入力された場合、即ち、通常変動表示の表示パターン情報及び最終停止図柄を入力された場合には（Ｓ４１：ＹＥＳ）、Ｓ４２において、ＣＰＵ２６１は、この表示パターン情報に対応する表示パターンをＲＯＭ２６２から読み出し、該表示パターン及び最終停止図柄をＲＡＭ２６３に記憶する。また、ＣＰＵ２６１は、角度表示変数ＭをＲＡＭ２６３から読み出し、この角度表示変数Ｍに０度を表す「０」を代入して、再度ＲＡＭ２６３に記憶する。
例えば、表示パターン情報が「表示パターンＡ１」に対応するものである場合には、ＣＰＵ２６１は、ＲＯＭ２６２から「表示パターンＡ１」を読み出してＲＡＭ２６３に回転表示する表示パターンとして記憶する。また、表示パターン情報が「表示パターンＢ１」に対応するものである場合には、ＣＰＵ２６１は、ＲＯＭ２６２から「表示パターンＢ１」を読み出してＲＡＭ２６３に回転表示する表示パターンとして記憶する。
【００８７】
続いて、Ｓ４３において、ＣＰＵ２６１は、ＲＡＭ２６３から角度表示変数Ｍを読み出した後、回転座標テーブル記憶エリア２６２Ａに格納される通常回転変動座標テーブル１６１から回転角度「Ｍ度」（Ｍは、角度表示変数Ｍの数値である。）に対応する「変動領域座標」、「通常距離」、「スクロール方向」の各データを読み込み、第１スクロール変動の始点・終点座標を算出し、ＲＡＭ２６３に記憶する。
この第１スクロール変動の始点・終点座標の算出は、例えば、ＲＡＭ２６３から読み出した角度表示変数Ｍが「０」の場合には、図４０（Ａ）に示すように、通常回転変動座標テーブル１６１の「回転角度」を「０度」として、当該「０度」の第４開口部８７に対応する「変動領域座標」の各座標「（Ｘ１、Ｙ１）、（Ｘ１、Ｙ２）、（Ｘ２、Ｙ２）、（Ｘ２、Ｙ１）」と、この第４開口部８７の回転中心から上側の変動図柄のスクロール位置までの距離を表す「通常距離」の「Ｌ１」と、変動図柄のスクロール方向を表す「スクロール方向」の「右方向」とを読み出し、ＲＡＭ２６３に記憶する。そして、これらのデータから第１スクロール変動１７１Ａの該第４開口部８７に対応する始点座標（Ｘ１，（Ｙ２＋Ｙ１）／２＋Ｌ１）と、終点座標（Ｘ２，（Ｙ２＋Ｙ１）／２＋Ｌ１）とを算出しＲＡＭ２６３に記憶する。
【００８８】
同様に、ＲＡＭ２６３から読み出した角度表示変数Ｍが「３０」、「６０」、「９０」の場合には、図４０（Ｂ）、図４１（Ｃ）、（Ｄ）、図４２（Ｅ）に示すように、通常回転変動座標テーブル１６１の各角度「３０度」、「６０度」、「９０度」の第４開口部８７に対応する「変動領域座標」の各座標と、この第４開口部８７の回転中心から変動図柄の各第１スクロール変動１７１Ｂ、１７１Ｃ、１７１Ｄの位置までの距離を表す「通常距離」の「Ｌ１」と、変動図柄のスクロール方向を表す「スクロール方向」とを読み出し、ＲＡＭ２６３に記憶する。そして、これらのデータから各回転角度「３０度」、「６０度」、「９０度」の場合における、各第１スクロール変動１７１Ｂ、１７１Ｃ、１７１Ｄの該第４開口部８７に対応する始点座標と終点座標とを算出しＲＡＭ２６３に記憶する。
【００８９】
また、Ｓ４４において、ＣＰＵ２６１は、ＲＡＭ２６３から角度表示変数Ｍを読み出した後、回転座標テーブル記憶エリア２６２Ａに格納される通常回転変動座標テーブル１６１から回転角度「Ｍ度」（Ｍは、角度表示変数Ｍの数値である。）に対応する「変動領域座標」、「スクロール方向」の各データを読み込み、第２スクロール変動の始点・終点座標を算出し、ＲＡＭ２６３に記憶する。
この第２スクロール変動の始点・終点座標の算出は、例えば、ＲＡＭ２６３から読み出した角度表示変数Ｍが「０」の場合には、図４０（Ａ）に示すように、通常回転変動座標テーブル１６１の「回転角度」を「０度」として、当該「０度」の第４開口部８７に対応する「変動領域座標」の各座標「（Ｘ１、Ｙ１）、（Ｘ１、Ｙ２）、（Ｘ２、Ｙ２）、（Ｘ２、Ｙ１）」と、変動図柄のスクロール方向を表す「スクロール方向」の「右方向」とを読み出し、ＲＡＭ２６３に記憶する。そして、これらのデータから第４開口部８７の回転中心を通過する第２スクロール変動１７２Ａの該第４開口部８７に対応する始点座標（Ｘ１，（Ｙ２＋Ｙ１）／２）と、終点座標（Ｘ２，（Ｙ２＋Ｙ１）／２）とを算出しＲＡＭ２６３に記憶する。
【００９０】
同様に、ＲＡＭ２６３から読み出した角度表示変数Ｍが「３０」、「６０」、「９０」の場合には、図４０（Ｂ）、図４１（Ｃ）、（Ｄ）、図４２（Ｅ）、（Ｆ）に示すように、通常回転変動座標テーブル１６１の各角度「３０度」、「６０度」、「９０度」の第４開口部８７に対応する「変動領域座標」の各座標と、変動図柄のスクロール方向を表す「スクロール方向」とを読み出し、ＲＡＭ２６３に記憶する。そして、これらのデータから第４開口部８７の回転中心を通過する各第２スクロール変動１７２Ｂ、１７２Ｃ、１７２Ｄの該第４開口部８７に対応する始点座標と終点座標とを算出しＲＡＭ２６３に記憶する。
【００９１】
また、Ｓ４５において、ＣＰＵ２６１は、ＲＡＭ２６３から角度表示変数Ｍを読み出した後、回転座標テーブル記憶エリア２６２Ａに格納される通常回転変動座標テーブル１６１から回転角度「Ｍ度」（Ｍは、角度表示変数Ｍの数値である。）に対応する「変動領域座標」、「通常距離」、「スクロール方向」の各データを読み込み、第３スクロール変動の始点・終点座標を算出し、ＲＡＭ２６３に記憶する。
この第３スクロール変動の始点・終点座標の算出は、例えば、ＲＡＭ２６３から読み出した角度表示変数Ｍが「０」の場合には、図４０（Ａ）に示すように、通常回転変動座標テーブル１６１の「回転角度」を「０度」として、当該「０度」の第４開口部８７に対応する「変動領域座標」の各座標「（Ｘ１、Ｙ１）、（Ｘ１、Ｙ２）、（Ｘ２、Ｙ２）、（Ｘ２、Ｙ１）」と、この第４開口部８７の回転中心から下側の変動図柄のスクロール位置までの距離を表す「通常距離」の「Ｌ１」と、変動図柄のスクロール方向を表す「スクロール方向」の「右方向」とを読み出し、ＲＡＭ２６３に記憶する。そして、これらのデータから第３スクロール変動１７３Ａの該第４開口部８７に対応する始点座標（Ｘ１，（Ｙ２＋Ｙ１）／２−Ｌ１）と、終点座標（Ｘ２，（Ｙ２＋Ｙ１）／２−Ｌ１）とを算出しＲＡＭ２６３に記憶する。
【００９２】
同様に、ＲＡＭ２６３から読み出した角度表示変数Ｍが「３０」、「６０」、「９０」の場合には、図４０（Ｂ）、図４１（Ｃ）、（Ｄ）に示すように、通常回転変動座標テーブル１６１の各角度「３０度」、「６０度」、「９０度」の第４開口部８７に対応する「変動領域座標」の各座標と、この第４開口部８７の回転中心から変動図柄の各第３スクロール変動１７３Ｂ、１７３Ｃ、１７３Ｄの位置までの距離を表す「通常距離」の「Ｌ１」と、変動図柄のスクロール方向を表す「スクロール方向」とを読み出し、ＲＡＭ２６３に記憶する。そして、これらのデータから各回転角度「３０度」、「６０度」、「９０度」の場合における、各第３スクロール変動１７３Ｂ、１７３Ｃ、１７３Ｄの該第４開口部８７に対応する始点座標と終点座標とを算出しＲＡＭ２６３に記憶する。
【００９３】
また、Ｓ４６において、ＣＰＵ２６１は、ＲＡＭ２６３から角度表示変数Ｍを読み出した後、回転座標テーブル記憶エリア２６２Ａに格納される通常回転変動座標テーブル１６１から回転角度「Ｍ度」（Ｍは、角度表示変数Ｍの数値である。）に対応する「第１付属変動領域座標」、「スクロール方向」の各データを読み込み、第１付属変動領域の変動表示の始点・終点座標を算出し、ＲＡＭ２６３に記憶する。
この第１付属変動領域の変動表示の始点・終点座標の算出は、例えば、ＲＡＭ２６３から読み出した角度表示変数Ｍが「０」の場合には、図４０（Ａ）に示すように、通常回転変動座標テーブル１６１の「回転角度」を「０度」として、当該「０度」の透かし孔２００に対応する「第１付属変動領域座標」の各座標「（Ｘ１００、Ｙ１０１）、（Ｘ１００、Ｙ１）、（Ｘ１０１、Ｙ１）、（Ｘ１０１、Ｙ１０１）」と、変動図柄のスクロール方向を表す「スクロール方向」の「右方向」とを読み出し、ＲＡＭ２６３に記憶する。そして、これらのデータから透かし孔２００に対応する第１付属変動領域３００の変動表示の始点座標（Ｘ１００、（Ｙ１０１＋Ｙ１）／２）と、終点座標（Ｘ１０１、（Ｙ１０１＋Ｙ１）／２）とを算出しＲＡＭ２６３に記憶する。
【００９４】
同様に、ＲＡＭ２６３から読み出した角度表示変数Ｍが「３０」、「６０」、「９０」の場合には、図４０（Ｂ）、図４１（Ｃ）、（Ｄ）、図４２（Ｅ）、（Ｆ）に示すように、通常回転変動座標テーブル１６１の各角度「３０度」、「６０度」、「９０度」の透かし孔２００に対応する「第１付属変動領域座標」の各座標と、変動図柄のスクロール方向を表す「スクロール方向」とを読み出し、ＲＡＭ２６３に記憶する。そして、これらのデータから各回転角度「３０度」、「６０度」、「９０度」の場合における、透かし孔２００に対応する第１付属変動領域３００の変動表示の始点座標と終点座標とを算出しＲＡＭ２６３に記憶する。
【００９５】
また、Ｓ４７において、ＣＰＵ２６１は、ＲＡＭ２６３から角度表示変数Ｍを読み出した後、回転座標テーブル記憶エリア２６２Ａに格納される通常回転変動座標テーブル１６１から回転角度「Ｍ度」（Ｍは、角度表示変数Ｍの数値である。）に対応する「第２付属変動領域座標」、「スクロール方向」の各データを読み込み、第２付属変動領域の変動表示の始点・終点座標を算出し、ＲＡＭ２６３に記憶する。
この第２付属変動領域の変動表示の始点・終点座標の算出は、例えば、ＲＡＭ２６３から読み出した角度表示変数Ｍが「０」の場合には、図４０（Ａ）に示すように、通常回転変動座標テーブル１６１の「回転角度」を「０度」として、当該「０度」の透かし孔２０１に対応する「第２付属変動領域座標」の各座標「（Ｘ１００、Ｙ２）、（Ｘ１００、Ｙ１００）、（Ｘ１０１、Ｙ１００）、（Ｘ１０１、Ｙ２）」と、変動図柄のスクロール方向を表す「スクロール方向」の「右方向」とを読み出し、ＲＡＭ２６３に記憶する。そして、これらのデータから透かし孔２０１に対応する第２付属変動領域３０１の変動表示の始点座標（Ｘ１００、（Ｙ２＋Ｙ１００）／２）と、終点座標（Ｘ１０１、（Ｙ２＋Ｙ１００）／２）とを算出しＲＡＭ２６３に記憶する。
【００９６】
同様に、ＲＡＭ２６３から読み出した角度表示変数Ｍが「３０」、「６０」、「９０」の場合には、図４０（Ｂ）、図４１（Ｃ）、（Ｄ）、図４２（Ｅ）、（Ｆ）に示すように、通常回転変動座標テーブル１６１の各角度「３０度」、「６０度」、「９０度」の透かし孔２０１に対応する「第２付属変動領域座標」の各座標と、変動図柄のスクロール方向を表す「スクロール方向」とを読み出し、ＲＡＭ２６３に記憶する。そして、これらのデータから各回転角度「３０度」、「６０度」、「９０度」の場合における、透かし孔２０１に対応する第２付属変動領域３０１の変動表示の始点座標と終点座標とを算出しＲＡＭ２６３に記憶する。
【００９７】
続いて、Ｓ４８において、ＣＰＵ２６１は、第１スクロール変動の始点・終点座標、第２スクロール変動の始点・終点座標、及び第３スクロール変動の始点・終点座標をＲＡＭ２６３から読み出し、各変動図柄をこの第１スクロール変動乃至第３スクロール変動上に変動表示する。また、第１付属変動領域３００と第２付属変動領域３０１の変動表示の始点座標と終点座標とをＲＡＭ２６３から読み出し、結果報知図柄を第１付属変動領域３００と第２付属変動領域３０１に変動表示する。従って、液晶表示器５２の各回転角度「０度」、「３０度」、「６０度」、「９０度」における第４開口部８７と重なった表示領域が、第１スクロール変動乃至第３スクロール変動上の変動が表示される各変動領域になる。また、液晶表示器５２の各回転角度「０度」、「３０度」、「６０度」、「９０度」における各透かし孔２００、２０１と重なった表示領域が結果報知図柄の変動が表示される第１付属変動領域３００と第２付属変動領域３０１となる。
【００９８】
例えば、ＲＡＭ２６３から読み出した角度表示変数Ｍが「０」の場合には、図４０（Ａ）に示すように、ＣＰＵ２６１は、第１スクロール変動１７１Ａ、第２スクロール変動１７２Ａ、及び第３スクロール変動１７３Ａ上に各変動図柄を右向きに変動表示する。また、第１付属変動領域３００と第２付属変動領域３０１は、液晶表示器５２の表示画面の上下端縁部の外側に配置され、結果報知図柄の変動は、遊技者に見えない状態となる。
また、ＲＡＭ２６３から読み出した角度表示変数Ｍが「３０」の場合には、図４０（Ｂ）に示すように、ＣＰＵ２６１は、第１スクロール変動１７１Ｂ、第２スクロール変動１７２Ｂ、及び第３スクロール変動１７３Ｂ上に各変動図柄を３０度右下向きに変動表示する。また、第１付属変動領域３００の左上隅部に結果報知図柄の変動を３０度右下向きに表示する。また、第２付属変動領域３０１の右下隅部に結果報知図柄の変動を３０度右下向きに表示する。
【００９９】
また、ＲＡＭ２６３から読み出した角度表示変数Ｍが「６０」の場合には、図４１（Ｃ）に示すように、ＣＰＵ２６１は、第１スクロール変動１７１Ｃ、第２スクロール変動１７２Ｃ、及び第３スクロール変動１７３Ｃ上に各変動図柄を６０度右下向きに変動表示する。また、第１付属変動領域３００の約斜め上半分に結果報知図柄の変動を６０度右下向きに表示する。また、第２付属変動領域３０１の約斜め下半分に結果報知図柄の変動を６０度右下向きに表示する。
また、ＲＡＭ２６３から読み出した角度表示変数Ｍが「９０」の場合には、図４１（Ｄ）に示すように、ＣＰＵ２６１は、第１スクロール変動１７１Ｄ、第２スクロール変動１７２Ｄ、及び第３スクロール変動１７３Ｄ上に各変動図柄を下向きに変動表示する。また、第１付属変動領域３００と第２付属変動領域３０１に結果報知図柄の変動を下向きに表示する。
【０１００】
そしてまた、Ｓ４９において、ＣＰＵ２６１は、ＲＡＭ２６３から角度表示変数Ｍを読み出し、この角度表示変数Ｍが「９０」か否か、即ち、９０度変動表示か否かを判定する判定処理を実行する。そして、ＲＡＭ２６３から角度表示変数Ｍを読み出し、この角度表示変数Ｍが「９０」の場合には（Ｓ４９：ＹＥＳ）、Ｓ５０において、ＣＰＵ２６１は、９０度変動表示であると判定して、各第１・第２・第３図柄の９０度変動表示を開始してからＲＯＭ２６２に予め記憶する第１所定時間（例えば、約１．５秒である。）が経過した場合には、ＲＡＭ２６３から演出表示指示情報を構成する「最終停止図柄」のデータを読み出し、該「最終停止図柄」のデータの第１番目の図柄を液晶表示器５２の左列の第１図柄として停止表示する。また、ＣＰＵ２６１は、各第２・第３図柄の変動表示を継続する。
例えば、図４２（Ｅ）に示すように、ＲＡＭ２６３から読み出した最終停止図柄のデータが「７５６」の場合には、ＣＰＵ２６１は、液晶表示器５２の左列の第１図柄１７３Ｅとして「７」の図柄を停止表示する。
【０１０１】
そしてまた、Ｓ５１において、ＣＰＵ２６１は、各第１・第２・第３図柄の変動表示を開始してからＲＯＭ２６２に予め記憶する第２所定時間（例えば、約３．５秒である。）が経過した場合には、ＲＡＭ２６３から演出指示情報を構成する最終停止図柄のデータを読み出し、該最終停止図柄のデータの第３番目の図柄を液晶表示器５２の右列の第２図柄として停止表示する。また、ＣＰＵ２６１は、液晶表示器５２の左列の第１図柄を停止表示するとともに、中央部の第３図柄の変動表示を継続する。
例えば、図４２（Ｆ）に示すように、ＲＡＭ２６３から読み出した演出表示指示情報を構成する最終停止図柄のデータが「７５６」の場合には、ＣＰＵ２６１は、液晶表示器５２の右列の第２図柄１７１Ｅとして「６」の図柄を停止表示する。
【０１０２】
また、Ｓ５２において、ＣＰＵ２６１は、各第１・第２・第３図柄の変動表示を開始してからＲＯＭ２６２に予め記憶する第３所定時間（例えば、約５秒である。）が経過した場合には、ＲＡＭ２６３から演出指示情報を構成する最終停止図柄のデータを読み出し、該最終停止図柄のデータの第２番目の図柄を液晶表示器５２の中央部の第３図柄として停止表示する。これにより、各第１・第２・第３図柄が完全ハズレの図柄で停止表示される。
例えば、ＲＡＭ２６３から読み出した演出指示情報を構成する最終停止図柄のデータが「７５６」の場合には、ＣＰＵ２６１は、液晶表示器５２の中央部の第３図柄として「５」の図柄を停止表示する。
尚、第１付属変動領域３００と第２付属変動領域３０１には、結果報知図柄の変動表示が継続されている。
【０１０３】
そして、Ｓ５３において、ＣＰＵ２６１は、ＲＡＭ２６３から表示パターンを読み出し、該表示パターンに対応するタイムチャートを回転表示タイムチャート記憶エリア２６２Ｂから読み出し、ＲＡＭ２６３に記憶する。そしてまた、ＣＰＵ２６１は、このタイムーチャートから回転角度「９０度」の変動表示時間Ｔ７（秒）を読み出し、この変動表示時間が経過するのを待つ（Ｓ５３：ＮＯ）。
例えば、表示パターンＡ１の場合には、ＣＰＵ２６１は、回転表示タイムチャート記憶エリア２６２Ｂからタイムチャート１５１Ｂを読み出し、ＲＡＭ２６３に記憶する。そして、ＣＰＵ２６１は、ＲＡＭ２６３から角度表示変数Ｍを読み出し、該角度表示変数Ｍが「９０」の場合には、このタイムチャート１５１Ｂから「９０度変動表示」の開始時間Ｔ６秒及び終了時間Ｔ７秒を読み込み、時間Ｔ６秒から表示を開始し、時間Ｔ７秒になるまで待つ。
【０１０４】
一方、Ｓ４９でＲＡＭ２６３から角度表示変数Ｍを読み出し、この角度表示変数Ｍが「９０」でない場合、即ち９０度変動表示でない場合には（Ｓ４９：ＮＯ）、Ｓ５３において、ＣＰＵ２６１は、ＲＡＭ２６３から表示パターンを読み出し、該表示パターンに対応するタイムチャートを回転表示タイムチャート記憶エリア２６２Ｂから読み出し、ＲＡＭ２６３に記憶する。そしてまた、ＣＰＵ２６１は、このタイムーチャートから回転角度「Ｍ度」（Ｍは、角度表示変数Ｍの値である。）の変動表示時間を読み出し、この変動表示時間が経過するのを待つ（Ｓ５３：ＮＯ）。
例えば、表示パターンＡ１の場合には、ＣＰＵ２６１は、回転表示タイムチャート記憶エリア２６２Ｂからタイムチャート１５１Ｂを読み出し、ＲＡＭ２６３に記憶する。そして、ＣＰＵ２６１は、ＲＡＭ２６３から角度表示変数Ｍを読み出し、該角度表示変数Ｍが「０」の場合には、このタイムチャート１５１Ｂから「０度変動表示」の開始時間０秒及び終了時間Ｔ１秒を読み込み、時間０秒即ち表示開始から時間Ｔ１秒になるまで、当該スクロール表示を継続して待つ。
また、ＣＰＵ２６１は、ＲＡＭ２６３から角度表示変数Ｍを読み出し、該角度表示変数Ｍが「３０」の場合には、このタイムチャート１５１Ｂから「３０度変動表示」の開始時間Ｔ２秒及び終了時間Ｔ３秒を読み込み、時間Ｔ２秒から表示を開始し、時間Ｔ３秒になるまで、当該スクロール表示を継続して待つ。
また、ＣＰＵ２６１は、ＲＡＭ２６３から角度表示変数Ｍを読み出し、該角度表示変数Ｍが「６０」の場合には、このタイムチャート１５１Ｂから「６０度変動表示」の開始時間Ｔ４秒及び終了時間Ｔ５秒を読み込み、時間Ｔ４秒から表示を開始し、時間Ｔ５秒になるまで、当該スクロール表示を継続して待つ。
【０１０５】
続いて、回転角度「Ｍ度」（Ｍは、角度表示変数Ｍの値である。）の「Ｍ度変動表示」の変動表示時間が経過した場合には（Ｓ５３：ＹＥＳ）、Ｓ５４において、ＣＰＵ２６１は、ＲＡＭ２６３から角度表示変数Ｍを読み出し、該角度表示変数Ｍに「３０」加算して、再度、ＲＡＭ２６３に記憶する。
そして、Ｓ５５において、ＣＰＵ２６１は、ＣＰＵ２８１からの演出表示確定信号が入力されたか否かを判定する判定処理を実行し、当該演出表示確定信号が入力されていない場合には（Ｓ５５：ＮＯ）、再度、Ｓ４３以降の処理を実行する。
一方、ＣＰＵ２８１からの演出表示確定信号が入力された場合には（Ｓ５５：ＹＥＳ）、Ｓ５６において、ＣＰＵ２６１は、第１図柄、第２図柄及び第３図柄を確定停止して完全ハズレを報知する最終停止図柄を表示画面の上下方向中央部に確定表示する。また、Ｓ５７において、ＣＰＵ２６１は、第１付属変動領域３００と第２付属変動領域３０１に結果報知図柄「ハズレ」を上下方向に表示後、当該サブ処理を終了してメインフローチャートに戻る。
例えば、図４２（Ｇ）に示すように、ＣＰＵ２６１は、ＲＡＭ２６３から読み出した演出指示情報を構成する最終停止図柄のデータが「７５６」の場合には、表示画面の上下方向中央部に第１図柄１７３Ｅとして「７」、第３図柄１７２Ｅとして「５」、第２図柄１７１Ｅとして「６」を左右方向に配置して確定表示する。また、第１付属変動領域３００と第２付属変動領域３０１に完全ハズレを報知する結果報知図柄「ハズレ」を上下方向に表示後、当該サブ処理を終了する。
【０１０６】
次に、サブ統合制御基板２８０のＣＰＵ２８１が、回転装飾部材８３を原点位置（０度）から時計方向約９０度まで回転駆動する際に、各回転角度でのリーチ変動表示時に実行する「リーチ回転変動処理」のサブ処理について図４３に基づいて説明する。
図４３に示すように、Ｓ１０１において、ＣＰＵ２８１は、主制御基板２９０のＣＰＵ２９１から入力された「指示情報」としての「リーチ変動パターンの指示信号」、「最終停止図柄」及び「予告キャラクタ」をＲＡＭ２８３に記憶する。尚、ＣＰＵ２９１は、「リーチ変動パターンの指示信号」と「最終停止図柄」を出力する場合には、予告図柄選択カウンタ２９３Ｇのカウント値に基づいて選択した「予告キャラクタ」をＣＰＵ２８１に指示情報として出力する。
また、Ｓ１０２において、ＣＰＵ２８１は、「リーチ変動パターンの指示信号」が入力された時の表示パターン選択カウンタ２８３Ａのカウント値を読み出し、このカウント値をパラメータ記憶エリア２８３Ｂに記憶する。
【０１０７】
そして、Ｓ１０３において、ＣＰＵ２８１は、主制御基板２９０のＣＰＵ２９１から入力されたリーチ変動パターンの指示信号の入力時の表示パターン選択カウンタ２８３Ａのカウント値をパラメータ記憶エリア２８３Ｂから読み出し、このカウント値に対応する表示パターンをリーチ変動表示パターンテーブル１４７から読み込みパラメータ記憶エリア２８３Ｂに記憶する。
例えば、主制御基板２９０のＣＰＵ２９１から入力されたリーチ変動パターンの指示信号が「リーチ変動パターンＹ１」で、パラメータ記憶エリア２８３Ｂから読み出したカウント値が「３」の場合には、リーチ変動表示パターンテーブル１４７から表示パターンとして「表示パターンＡ２」を読み込みパラメータ記憶エリア２８３Ｂに記憶する。
【０１０８】
続いて、Ｓ１０４において、ＣＰＵ２８１は、パラメータ記憶エリア２８３Ｂから表示パターンを再度読み出すと共に、ＲＡＭ２６３から最終停止図柄及び予告キャラクタを読み出し、該表示パターンに対応する表示パターン情報、最終停止図柄及び予告キャラクタを演出表示基板２６０のＣＰＵ２６１に演出表示指示情報として出力する。即ち、ＣＰＵ２８１は、ＣＰＵ２６１にリーチ変動表示の表示パターン、最終停止図柄及び予告キャラクタを指示する。
【０１０９】
そして、Ｓ１０５乃至Ｓ１０７において、ＣＰＵ２８１は、上記Ｓ５乃至Ｓ７の処理を実行する。
続いて、Ｓ１０８において、ＣＰＵ２８１は、パラメータ記憶エリア２８３Ｂから表示パターンを読み出し、該表示パターンに対応するタイムチャートを回転駆動タイムチャート記憶エリア２８２Ｃから読み出し、ＲＡＭ２８３に記憶する。そしてまた、このタイムーチャートから回転角度「Ｎ度」（Ｎは、角度変数Ｎの値である。）の変動表示時間を読み込み、当該変動表示時間が経過するのを待つ、即ち、回転装飾部材８３を停止位置から時計方向に約３０度回転させる次の駆動開始時間を読み込み、当該時間になるのを待つ（Ｓ１０８：ＮＯ）。
【０１１０】
例えば、表示パターンＡ２の場合には、ＣＰＵ２８１は、回転駆動タイムチャート記憶エリア２８２Ｃからタイムチャート１５５Ａ（図３１参照）を読み出す。そして、ＣＰＵ２８１は、パラメータ記憶エリア２８３Ｂから角度変数Ｎを読み出し、該角度変数Ｎが「０」の場合には、このタイムチャート１５５Ａから「３０度回転」を開始する時間Ｔ３１秒を読み込み、時間Ｔ３１秒になるのを待つ。また、ＣＰＵ２８１は、パラメータ記憶エリア２８３Ｂから角度変数Ｎを読み出し、該角度変数Ｎが「３０」の場合には、このタイムチャート１５５Ａから「６０度回転」を開始する時間Ｔ３３秒を読み込み、時間Ｔ３秒になるのを待つ。また、ＣＰＵ２８１は、パラメータ記憶エリア２８３Ｂから角度変数Ｎを読み出し、該角度変数Ｎが「６０」の場合には、このタイムチャート１５５Ａから「９０度回転」を開始する時間Ｔ３５秒を読み込み、時間Ｔ３５秒になるのを待つ。また、ＣＰＵ２８１は、パラメータ記憶エリア２８３Ｂから角度変数Ｎを読み出し、該角度変数Ｎが「９０」の場合には、このタイムチャート１５５Ａから演出表示の終了時間Ｔ３７秒を読み込み、時間Ｔ３７秒になるのを待つ。
【０１１１】
続いて、当該回転角度「Ｎ度」（Ｎは、角度変数Ｎの値である。）のリーチ変動の表示時間が経過した場合には（Ｓ１０８：ＹＥＳ）、Ｓ１０９乃至Ｓ１１３において、上記Ｓ９乃至Ｓ１３の処理を実行後、当該サブ処理を終了する。
【０１１２】
次に、演出表示基板２６０のＣＰＵ２６１が、サブ統合制御基板２８０のＣＰＵ２８１から演出表示指示情報としてリーチ変動表示の表示パターン情報を入力された場合に実行する「回転リーチ表示処理」のサブ処理について図４４乃至図４７に基づいて説明する。
図４４に示すように、先ず、Ｓ２０１において、ＣＰＵ２６１は、ＣＰＵ２８１から回転変動表示の指示が入力されたか否か、即ち、リーチ変動表示の表示パターン情報等を入力されたか否かを判定する判定処理を実行する。そして、当該指示が入力されていない場合には（Ｓ２０１：ＮＯ）、ＣＰＵ２６１は、当該サブ処理を終了してメインフローチャートに戻る。
【０１１３】
一方、ＣＰＵ２８１から回転変動表示の指示が入力された場合、即ち、リーチ変動表示の表示パターン情報を入力された場合には（Ｓ２０１：ＹＥＳ）、Ｓ２０２において、ＣＰＵ２６１は、この表示パターン情報に対応する表示パターンをＲＯＭ２６２から読み出し、該表示パターン、最終停止図柄及び予告キャラクタをＲＡＭ２６３に記憶する。また、ＣＰＵ２６１は、角度表示変数ＭをＲＡＭ２６３から読み出し、この角度表示変数Ｍに０度を表す「０」を代入して、再度ＲＡＭ２６３に記憶する。
例えば、表示パターン情報が「表示パターンＡ２」に対応するものである場合には、ＣＰＵ２６１は、ＲＯＭ２６２から「表示パターンＡ２」を読み出してＲＡＭ２６３に回転表示する表示パターンとして記憶する。また、表示パターン情報が「表示パターンＢ２」に対応するものである場合には、ＣＰＵ２６１は、ＲＯＭ２６２から「表示パターンＢ２」を読み出してＲＡＭ２６３に回転表示する表示パターンとして記憶する。
【０１１４】
続いて、Ｓ２０３において、ＣＰＵ２６１は、ＲＡＭ２６３から角度表示変数Ｍを読み出した後、回転座標テーブル記憶エリア２６２Ａに格納されるリーチ時回転変動座標テーブル１６２から回転角度「Ｍ度」（Ｍは、角度表示変数Ｍの数値である。）に対応する「変動領域座標」、「リーチ距離」、「スクロール方向」、「第１図柄表示領域」、「第２図柄表示領域」の各データを読み込み、ＲＡＭ２６３に記憶する。そして、ＣＰＵ２６１は、再度ＲＡＭ２６３から「第１図柄表示領域」の座標データを読み出し、各変動図柄のうち第１番目に停止した第１特別図柄をこの「第１図柄表示領域」内に表示する。
例えば、ＲＡＭ２６３から読み出した角度表示変数Ｍが「０」の場合には、図４５（Ａ）に示すように、第１図柄表示領域１７５Ａの各座標「（Ｘ２１、Ｙ２１）、（Ｘ２１、Ｙ２２）、（Ｘ２２、Ｙ２２）、（Ｘ２２、Ｙ２１）」内に各変動図柄のうち第１番目に停止した第１特別図柄「７」を表示する。また同様に、ＲＡＭ２６３から読み出した角度表示変数Ｍが「３０」、「６０」、「９０」の場合には、図４５（Ｂ）、図４６（Ｃ）、（Ｄ）、図４７（Ｅ）、（Ｆ）に示すように、各回転角度「３０度」、「６０度」、「９０度」に対応する各「第１図柄表示領域」の座標データを読み出し、この各第１図柄表示領域１７５Ｂ、１７５Ｃ、１７５Ｄ内に  各変動図柄のうち第１番目に停止した第１特別図柄「７」を表示する。
【０１１５】
また、Ｓ２０４において、ＣＰＵ２６１は、再度ＲＡＭ２６３から「第２図柄表示領域」の座標データを読み出し、各変動図柄のうち第２番目に停止した第２特別図柄をこの「第２図柄表示領域」に表示する。
例えば、ＲＡＭ２６３から読み出した角度表示変数Ｍが「０」の場合には、図４５（Ａ）に示すように、第２図柄表示領域１７６Ａの各座標「（Ｘ２３、Ｙ２１）、（Ｘ２３、Ｙ２２）、（Ｘ２４、Ｙ２２）、（Ｘ２４、Ｙ２１）」内に各変動図柄のうち第２番目に停止した第２特別図柄「７」を表示する。また同様に、ＲＡＭ２６３から読み出した角度表示変数Ｍが「３０」、「６０」、「９０」の場合には、図４５（Ｂ）、図４６（Ｃ）、（Ｄ）、図４７（Ｅ）、（Ｆ）に示すように、各回転角度「３０度」、「６０度」、「９０度」に対応する各「第２図柄表示領域」の座標データを読み出し、この各第２図柄表示領域１７６Ｂ、１７６Ｃ、１７６Ｄ内に  各変動図柄のうち第２番目に停止した第２特別図柄「７」を表示する。
【０１１６】
また、Ｓ２０５において、ＣＰＵ２６１は、再度ＲＡＭ２６３から「変動領域座標」、「リーチ距離」、「スクロール方向」の各データを読み込み、第３スクロール変動の始点・終点座標を算出し、ＲＡＭ２６３に記憶する。
この第３スクロール変動の始点・終点座標の算出は、例えば、ＲＡＭ２６３から読み出した角度表示変数Ｍが「０」の場合には、図４５（Ａ）に示すように、「回転角度」が「０度」における第４開口部８７に対応する「変動領域座標」の各座標「（Ｘ１、Ｙ１）、（Ｘ１、Ｙ２）、（Ｘ２、Ｙ２）、（Ｘ２、Ｙ１）」と、この第４開口部８７の回転中心から下側の変動図柄のスクロール位置までの距離を表す「リーチ距離」の「Ｌ２」と、変動図柄のスクロール方向を表す「スクロール方向」の「右方向」とをＲＡＭ２６３から読み出す。そして、これらのデータから第３スクロール変動１７７Ａの該第４開口部８７に対応する始点座標（Ｘ１，（Ｙ２＋Ｙ１）／２−Ｌ２）と、終点座標（Ｘ２，（Ｙ２＋Ｙ１）／２−Ｌ２）とを算出しＲＡＭ２６３に記憶する。
同様に、ＲＡＭ２６３から読み出した角度表示変数Ｍが「３０」、「６０」、「９０」の場合には、図４５（Ｂ）、図４６（Ｃ）、（Ｄ）、図４７（Ｅ）に示すように、各回転角度「３０度」、「６０度」、「９０度」に対応する第４開口部８７に対応する「変動領域座標」の各座標と、この第４開口部８７の回転中心から変動図柄の各第３スクロール変動１７７Ｂ、１７７Ｃ、１７７Ｄの位置までの距離を表す「リーチ距離」の「Ｌ２」と、変動図柄のスクロール方向を表す「スクロール方向」とをＲＡＭ２６３から読み出す。そして、これらのデータから各回転角度「３０度」、「６０度」、「９０度」の場合における、各第３スクロール変動１７７Ｂ、１７７Ｃ、１７７Ｄの該第４開口部８７に対応する始点座標と終点座標とを算出しＲＡＭ２６３に記憶する。
【０１１７】
また、Ｓ２０６において、ＣＰＵ２６１は、ＲＡＭ２６３から角度表示変数Ｍを読み出した後、回転座標テーブル記憶エリア２６２Ａに格納されるリーチ時回転変動座標テーブル１６２から回転角度「Ｍ度」（Ｍは、角度表示変数Ｍの数値である。）に対応する「第１付属変動領域座標」、「スクロール方向」の各データを読み込み、第１付属変動領域の変動表示の始点・終点座標を算出し、ＲＡＭ２６３に記憶する。
この第１付属変動領域の変動表示の始点・終点座標の算出は、例えば、ＲＡＭ２６３から読み出した角度表示変数Ｍが「０」の場合には、図４５（Ａ）に示すように、リーチ時回転変動座標テーブル１６２の「回転角度」を「０度」として、当該「０度」の透かし孔２００に対応する「第１付属変動領域座標」の各座標「（Ｘ１００、Ｙ１０１）、（Ｘ１００、Ｙ１）、（Ｘ１０１、Ｙ１）、（Ｘ１０１、Ｙ１０１）」と、変動図柄のスクロール方向を表す「スクロール方向」の「右方向」とを読み出し、ＲＡＭ２６３に記憶する。そして、これらのデータから透かし孔２００に対応する第１付属変動領域３００の変動表示の始点座標（Ｘ１００、（Ｙ１０１＋Ｙ１）／２）と、終点座標（Ｘ１０１、（Ｙ１０１＋Ｙ１）／２）とを算出しＲＡＭ２６３に記憶する。
【０１１８】
同様に、ＲＡＭ２６３から読み出した角度表示変数Ｍが「３０」、「６０」、「９０」の場合には、図４５（Ｂ）、図４６（Ｃ）、（Ｄ）に示すように、リーチ時回転変動座標テーブル１６２の各角度「３０度」、「６０度」、「９０度」の透かし孔２００に対応する「第１付属変動領域座標」の各座標と、変動図柄のスクロール方向を表す「スクロール方向」とを読み出し、ＲＡＭ２６３に記憶する。そして、これらのデータから各回転角度「３０度」、「６０度」、「９０度」の場合における、透かし孔２００に対応する第１付属変動領域３００の変動表示の始点座標と終点座標とを算出しＲＡＭ２６３に記憶する。
【０１１９】
また、Ｓ２０７において、ＣＰＵ２６１は、ＲＡＭ２６３から角度表示変数Ｍを読み出した後、回転座標テーブル記憶エリア２６２Ａに格納されるリーチ時回転変動座標テーブル１６２から回転角度「Ｍ度」（Ｍは、角度表示変数Ｍの数値である。）に対応する「第２付属変動領域座標」、「スクロール方向」の各データを読み込み、第２付属変動領域の変動表示の始点・終点座標を算出し、ＲＡＭ２６３に記憶する。
この第２付属変動領域の変動表示の始点・終点座標の算出は、例えば、ＲＡＭ２６３から読み出した角度表示変数Ｍが「０」の場合には、図４５（Ａ）に示すように、リーチ時回転変動座標テーブル１６２の「回転角度」を「０度」として、当該「０度」の透かし孔２０１に対応する「第２付属変動領域座標」の各座標「（Ｘ１００、Ｙ２）、（Ｘ１００、Ｙ１００）、（Ｘ１０１、Ｙ１００）、（Ｘ１０１、Ｙ２）」と、変動図柄のスクロール方向を表す「スクロール方向」の「右方向」とを読み出し、ＲＡＭ２６３に記憶する。そして、これらのデータから透かし孔２０１に対応する第２付属変動領域３０１の変動表示の始点座標（Ｘ１００、（Ｙ２＋Ｙ１００）／２）と、終点座標（Ｘ１０１、（Ｙ２＋Ｙ１００）／２）とを算出しＲＡＭ２６３に記憶する。
【０１２０】
同様に、ＲＡＭ２６３から読み出した角度表示変数Ｍが「３０」、「６０」、「９０」の場合には、図４５（Ｂ）、図４６（Ｃ）、（Ｄ）に示すように、リーチ時回転変動座標テーブル１６２の各角度「３０度」、「６０度」、「９０度」の透かし孔２０１に対応する「第２付属変動領域座標」の各座標と、変動図柄のスクロール方向を表す「スクロール方向」とを読み出し、ＲＡＭ２６３に記憶する。そして、これらのデータから各回転角度「３０度」、「６０度」、「９０度」の場合における、透かし孔２０１に対応する第２付属変動領域３０１の変動表示の始点座標と終点座標とを算出しＲＡＭ２６３に記憶する。
【０１２１】
続いて、Ｓ２０８において、ＣＰＵ２６１は、ＲＡＭ２６３から第３スクロール変動の始点・終点座標をＲＡＭ２６３から読み出し、変動図柄をこの第３スクロール変動上に変動表示する。また、第１付属変動領域３００と第２付属変動領域３０１の変動表示の始点座標と終点座標とをＲＡＭ２６３から読み出し、所定の予告キャラクタを第１付属変動領域３００と第２付属変動領域３０１に順次変動表示する（本実施例では、「大吉」、「中吉」、「小吉」の各予告キャラクタを順次変動表示する。）。従って、液晶表示器５２の各回転角度「０度」、「３０度」、「６０度」、「９０度」における第４開口部８７と重なった表示領域が、リーチ状態の変動が表示される各変動領域になる。また、液晶表示器５２の各回転角度「０度」、「３０度」、「６０度」、「９０度」における各透かし孔２００、２０１と重なった表示領域が予告キャラクタの変動が表示される第１付属変動領域３００と第２付属変動領域３０１となる。
【０１２２】
例えば、ＲＡＭ２６３から読み出した角度表示変数Ｍが「０」の場合には、図４５（Ａ）に示すように、ＣＰＵ２６１は、第３スクロール変動１７７Ａ上に第３変動図柄を右向きに変動表示する。また、第１付属変動領域３００と第２付属変動領域３０１は、液晶表示器５２の表示画面の上下端縁部の外側に配置され、予告キャラクタの変動は、遊技者に見えない状態となる。
また、ＲＡＭ２６３から読み出した角度表示変数Ｍが「３０」の場合には、図４５（Ｂ）に示すように、ＣＰＵ２６１は、第３スクロール変動１７７Ｂ上に第３変動図柄を３０度右下向きに変動表示する。また、第１付属変動領域３００の左上隅部に予告キャラクタの変動を３０度右下向きに表示する。また、第２付属変動領域３０１の右下隅部に予告キャラクタの変動を３０度右下向きに表示する。
【０１２３】
また、ＲＡＭ２６３から読み出した角度表示変数Ｍが「６０」の場合には、図４６（Ｃ）に示すように、ＣＰＵ２６１は、第３スクロール変動１７７Ｃ上に第３変動図柄を６０度右下向きに変動表示する。また、第１付属変動領域３００の約斜め上半分に予告キャラクタの変動を６０度右下向きに表示する。また、第２付属変動領域３０１の約斜め下半分に予告キャラクタの変動を６０度右下向きに表示する。
また、ＲＡＭ２６３から読み出した角度表示変数Ｍが「９０」の場合には、図４６（Ｄ）に示すように、ＣＰＵ２６１は、第３スクロール変動１７７Ｄ上に第３変動図柄を下向きに変動表示（スクロール表示）する。また、第１付属変動領域３００と第２付属変動領域３０１に予告キャラクタの変動を下向きに表示する。
【０１２４】
そしてまた、Ｓ２０９において、ＣＰＵ２６１は、ＲＡＭ２６３から角度表示変数Ｍを読み出し、この角度表示変数Ｍが「９０」か否か、即ち、９０度リーチ表示か否かを判定する判定処理を実行する。そして、ＲＡＭ２６３から角度表示変数Ｍを読み出し、この角度表示変数Ｍが「９０」の場合には（Ｓ２０９：ＹＥＳ）、Ｓ２１０の処理に移行する。
続いて、Ｓ２１０において、ＣＰＵ２６１は、９０度リーチ表示であると判定して、予告表示の時間が設定されているか否かを判定する判定処理を実行する。具体的には、ＣＰＵ２６１は、ＲＡＭ２６３から表示パターンを読み出し、該表示パターンに対応するタイムチャートを回転表示タイムチャート記憶エリア２６２Ｂから読み出し、このタイムーチャートから回転角度「９０度」の変動表示時間内に予告表示を行う時間が設定されているか否かを判定する。従って、表示パターンが表示パターンＡ２の場合には、ＣＰＵ２６１は、回転角度「９０度」の変動表示時間内に予告表示を行う時間が設定されていないと判定する（Ｓ２１０：ＮＯ）。一方、表示パターンが各表示パターンＢ２、Ｃ２、Ｄ２の場合には、ＣＰＵ２６１は、回転角度「９０度」の変動表示時間内の各時間Ｔ４６、Ｔ５３、Ｔ６１に予告表示を行う時間が設定されていると判定する（Ｓ２１０：ＹＥＳ）。
【０１２５】
そして、回転角度「９０度」の変動表示時間内に予告表示の時間が設定されていると判定した場合には（Ｓ２１０：ＹＥＳ）、Ｓ２１１において、ＣＰＵ２６１は、ＲＡＭ２６３から予告キャラクタを読み出し、この予告キャラクタに対応する画像データを予告キャラクタ記憶エリア２６２Ｃから読み出す。その後、ＣＰＵ２６１は、回転角度「９０度」の変動表示時間内の各時間Ｔ４６、Ｔ５３、Ｔ６１に第１付属変動領域３００と第２付属変動領域３０１に予告キャラクタの画像データを停止表示し、Ｓ２１２の処理に移行する。
一方、回転角度「９０度」の変動表示時間内に予告表示の時間が設定されていないと判定した場合には（Ｓ２１０：ＮＯ）、ＣＰＵ２６１は、Ｓ２１２の処理に移行する。
例えば、図４７（Ｅ）に示すように、演出表示指示情報としてＣＰＵ２８１から「予告キャラクタ」として「大吉」が入力されていた場合には、ＣＰＵ２６１は、ＲＡＭ２６３から該「大吉」を読み出し、この「大吉」に対応する画像データを予告キャラクタ記憶エリア２６２Ｃから読み出す。その後、ＣＰＵ２６１は、回転角度「９０度」の変動表示時間内に設定された予告表示の各時間Ｔ４６、Ｔ５３、Ｔ６１に第１付属変動領域３００と第２付属変動領域３０１に予告キャラクタとして「大吉」の画像データを停止表示する。尚、ＣＰＵ２６１は、第３スクロール変動１７７Ｄ上の第３変動図柄の変動表示を継続される。
【０１２６】
続いて、Ｓ２１２において、ＣＰＵ２６１は、９０度リーチ表示を開始してからＲＯＭ２６２に予め記憶する所定時間（例えば、約２０秒〜３２秒秒である。）が経過した場合には、ＲＡＭ２６３から演出表示指示情報を構成する「最終停止図柄」のデータを読み出し、該「最終停止図柄」のデータの第２番目の図柄を液晶表示器５２の第３スクロール変動１７７Ｄ上の表示画面の上下方向略中央部に第３特別図柄として停止表示する。
例えば、図４７（Ｆ）に示すように、ＲＡＭ２６３から読み出した最終停止図柄のデータが「７７７」の場合には、ＣＰＵ２６１は、液晶表示器５２の第３スクロール変動１７７Ｄ上の表示画面の上下方向略中央部に「７」の第３特別図柄を停止表示する。
【０１２７】
そして、Ｓ２１３において、ＣＰＵ２６１は、ＲＡＭ２６３から表示パターンを読み出し、該表示パターンに対応するタイムチャートを回転表示タイムチャート記憶エリア２６２Ｂから読み出し、ＲＡＭ２６３に記憶する。そしてまた、ＣＰＵ２６１は、このタイムーチャートから回転角度「９０度」に対する「９０度リーチ表示」の開始時間及び終了時間を読み出し、この終了時間が経過するのを待つ（Ｓ２１３：ＮＯ）。
例えば、表示パターンＡ２の場合には、ＣＰＵ２６１は、回転表示タイムチャート記憶エリア２６２Ｂからタイムチャート１５５Ｂを読み出し、ＲＡＭ２６３に記憶する。そして、ＣＰＵ２６１は、ＲＡＭ２６３から角度表示変数Ｍを読み出し、該角度表示変数Ｍが「９０」の場合には、このタイムチャート１５５Ｂから「９０度リーチ表示」の開始時間Ｔ３６秒及び終了時間Ｔ３７秒を読み込み、時間Ｔ３６秒から表示を開始し、時間Ｔ３７秒になるまで待つ。
【０１２８】
一方、Ｓ２０９でＲＡＭ２６３から角度表示変数Ｍを読み出し、この角度表示変数Ｍが「９０」でない場合、即ち９０度リーチ表示でない場合には（Ｓ２０９：ＮＯ）、Ｓ２１３において、ＣＰＵ２６１は、ＲＡＭ２６３から表示パターンを読み出し、該表示パターンに対応するタイムチャートを回転表示タイムチャート記憶エリア２６２Ｂから読み出し、ＲＡＭ２６３に記憶する。そしてまた、ＣＰＵ２６１は、このタイムーチャートから回転角度「Ｍ度」（Ｍは、角度表示変数Ｍの値である。）の変動表示時間を読み出し、この変動表示時間が経過するのを待つ（Ｓ２１３：ＮＯ）。
例えば、表示パターンＡ２の場合には、ＣＰＵ２６１は、回転表示タイムチャート記憶エリア２６２Ｂからタイムチャート１５５Ｂを読み出し、ＲＡＭ２６３に記憶する。そして、ＣＰＵ２６１は、ＲＡＭ２６３から角度表示変数Ｍを読み出し、該角度表示変数Ｍが「０」の場合には、このタイムチャート１５５Ｂから「０度リーチ表示」の開始時間０秒及び終了時間Ｔ３１秒を読み込み、時間０秒即ち表示開始から時間Ｔ３１秒になるまで、当該スクロール表示を継続して待つ。
【０１２９】
また、ＣＰＵ２６１は、ＲＡＭ２６３から角度表示変数Ｍを読み出し、該角度表示変数Ｍが「３０」の場合には、このタイムチャート１５５Ｂから「３０度リーチ表示」の開始時間Ｔ３２秒及び終了時間Ｔ３３秒を読み込み、時間Ｔ３２秒から表示を開始し、時間Ｔ３３秒になるまで、当該スクロール表示を継続して待つ。
また、ＣＰＵ２６１は、ＲＡＭ２６３から角度表示変数Ｍを読み出し、該角度表示変数Ｍが「６０」の場合には、このタイムチャート１５５Ｂから「６０度リーチ表示」の開始時間Ｔ３４秒及び終了時間Ｔ３５秒を読み込み、時間Ｔ３４秒から表示を開始し、時間Ｔ３５秒になるまで、当該スクロール表示を継続して待つ。
【０１３０】
続いて、回転角度「Ｍ度」（Ｍは、角度表示変数Ｍの値である。）の「Ｍ度リーチ表示」の変動表示時間が経過した場合には（Ｓ２１３：ＹＥＳ）、Ｓ２１４において、ＣＰＵ２６１は、ＲＡＭ２６３から角度表示変数Ｍを読み出し、該角度表示変数Ｍに「３０」加算して、再度、ＲＡＭ２６３に記憶する。
そして、Ｓ２１５において、ＣＰＵ２６１は、ＣＰＵ２８１からの演出表示確定信号が入力されたか否かを判定する判定処理を実行し、当該変動確定指示が入力されていない場合には（Ｓ２１５：ＮＯ）、再度、Ｓ２０３以降の処理を実行する。
一方、ＣＰＵ２８１からの変動確定指示が入力された場合には（Ｓ２１５：ＹＥＳ）、Ｓ２１６において、ＣＰＵ２６１は、第１特別図柄、第２特別図柄、第３特別図柄を確定停止してリーチハズレ又は大当たりを報知する最終停止図柄を表示画面の上下方向中央部に確定表示する。また、Ｓ２１７において、ＣＰＵ２６１は、第１付属変動領域３００と第２付属変動領域３０１にリーチハズレの場合にはリーチハズレを報知する結果報知図柄「残念」を上下方向に表示し、大当たりの場合には大当たりを報知する結果報知図柄「当たり」を上下方向に表示後、当該サブ処理を終了してメインフローチャートに戻る。
例えば、図４７（Ｇ）に示すように、ＣＰＵ２６１は、最終停止図柄が「７７７」の大当たりの場合には、表示画面の上下方向中央部に第１特別図柄１７５Ｅとして「７」、第３特別図柄１７７Ｆとして「７」、第２特別図柄１７６Ｅとして「７」を左右方向に配置して確定表示する。また、第１付属変動領域３００と第２付属変動領域３０１に大当たりを報知する結果報知図柄「当たり」を上下方向に表示後、当該サブ処理を終了する。
【０１３１】
ここで、第４開口部８７は、開口部として機能する。また、液晶表示器（ＬＣＤ）５２は、映像表示装置として機能する。また、回転装飾部材８３及び回転カバー部材８４は、回転装飾部材を構成する。また、回転用モータ１２５、ピニオンギヤ１２６、各アイドルギヤ１２７、１２８、及び回転ギヤ部１２９は、回転手段を構成する。また、フォトセンサＳＷ１、フォトセンサＳＷ２は、検出手段を構成する。また、ＣＰＵ２９１、ＲＯＭ２９２、ＲＡＭ２９３は、主制御手段、変動パターン選択手段、予告キャラクタ選択手段を構成する。また、ＣＰＵ２８１、ＲＯＭ２８２、ＲＡＭ２８３は、回転制御手段、サブ制御手段、駆動制御手段を構成する。具体的には、上記Ｓ１〜Ｓ４、Ｓ１０１〜Ｓ１０４の処理において、ＣＰＵ２８１、ＲＯＭ２８２及びＲＡＭ２８３は、サブ制御手段として機能し、上記Ｓ５〜Ｓ１３、Ｓ１０５〜Ｓ１１３の処理において、ＣＰＵ２８１、ＲＯＭ２８２及びＲＡＭ２８３は、回転制御手段として機能する。
また、ＣＰＵ２６１、ＲＯＭ２６２、ＲＡＭ２６３は、表示制御手段、変動領域選択手段、スクロール表示手段、停止図柄表示手段、予告キャラクタ表示制御手段を構成する。また、表示パターンテーブル記憶エリア２８２Ｂは、表示パターン記憶手段として機能する。また、ＣＰＵ２８１、ＲＯＭ２８２、表示パターン選択カウンタ２８３Ａは、表示パターン選択手段を構成する。また、回転駆動タイムチャート記憶エリア２８２Ｃは、回転駆動パターン記憶手段として機能する。また、回転変動座標テーブル記憶エリア２６２Ａは、変動領域記憶手段、付属変動領域記憶手段、スクロール情報記憶手段、及び図柄表示領域記憶手段として機能する。また、回転表示タイムチャート記憶エリア２６２Ｂは、回転表示パターン記憶手段として機能する。また、「大吉」、「中吉」、「小吉」は、予告キャラクタを構成する。また、予告キャラクタ記憶エリア２６２Ｃは、予告キャラクタ記憶手段として機能する。
【０１３２】
従って、本実施例に係るパチンコ機１では、回転装飾部材８３の中央部に形成される第４開口部８７が第２開口部６９と略同一の大きさで相対向するように配置されている。また、この第４開口部８７の相対向する長辺部中央位置の各外側近傍に一対の各透かし孔２００、２０１が形成されている。また、パチンコ機１の動作状態を制御するＣＰＵ２９１は、始動口５７への入賞に基づいて複数種類の変動パターンから一の変動パターン、最終停止図柄、予告図柄等を選択して、サブ統合制御基板２８０のＣＰＵ２８１に出力する。そして、ＣＰＵ２８１は、ＣＰＵ２９１から通常変動パターン及び最終停止図柄を入力された場合には、通常変動表示の表示パターンを選択し、この選択した表示パターンに対応する表示パターン情報と最終停止図柄を演出表示基板２６０のＣＰＵ２６１に出力すると共に、該表示パターンに対応する各タイムチャート１５１Ａ〜１５４Ａを回転駆動タイムチャート記憶エリア２８２Ｃから読み出し、この各タイムチャート１５１Ａ〜１５４Ａに従って回転装飾部材８３を回転駆動する。また、ＣＰＵ２６１は、ＣＰＵ２８１から入力された表示パターン情報に対応する表示パターンをＲＯＭ２６２から読み出し、該表示パターンに対応する各タイムチャート１５１Ｂ〜１５４Ｂを回転表示タイムチャート記憶エリア２６２Ｂから読み出す。そして、この各タイムチャート１５１Ｂ〜１５４Ｂに従って、回転座標テーブル記憶エリア２６２Ａに格納される通常回転変動座標テーブル１６１から、この回転装飾部材８３の停止した回転位置に対応する「変動領域座標」と「スクロール方向」と「通常距離」を選択して各変動図柄を各第１スクロール変動１７１Ａ、１７１Ｂ、１７１Ｃ、１７１Ｄ、各第２スクロール変動１７２Ａ、１７２Ｂ、１７２Ｃ、１７２Ｄ、及び各第３スクロール変動１７３Ａ、１７３Ｂ、１７３Ｃ、１７３Ｄ上に変動表示する。このため、該回転装飾部材８３の回転によって第２開口部６９が第４開口部８７よりもはみ出ても、各変動図柄を第４開口部８７内の表示画面に確実に変動表示することができる。
【０１３３】
また、ＣＰＵ２６１は、該表示パターンに対応する各タイムチャート１５１Ｂ〜１５４Ｂを回転表示タイムチャート記憶エリア２６２Ｂから読み出す。そして、この各タイムチャート１５１Ｂ〜１５４Ｂに従って、回転座標テーブル記憶エリア２６２Ａに格納される通常回転変動座標テーブル１６１から、この回転装飾部材８３の停止した回転位置に対応する「第１付属変動領域座標」と「第２付属変動領域座標」と「スクロール方向」を選択して、各結果報知図柄を第１付属変動領域３００と第２付属変動領域３０１に変動表示する。このため、該回転装飾部材８３の回転によって各透かし孔２００、２０１が第２開口部６９よりもはみ出る、即ち、各結果報知図柄の変動表示が各透かし孔２００、２０１よりもはみ出ても、ＣＰＵ２６１は、各結果報知図柄の変動表示を各透かし孔２００、２０１内に対向する表示画面に確実に変動表示することができ、遊技者の興趣を増大させることができると共に、遊技者に対して遊技の結果を明確に認識できるように報知することができる。更に、ＣＰＵ２８１から演出表示確定信号が入力された場合には、当該透かし孔２００、２０１内に完全ハズレの場合には「ハズレ」が表示されるため、遊技者に完全ハズレを確実に報知するように表示制御することができ、遊技者に対して「ハズレ」の結果を明確に認識できるように報知することができる。また、各変動図柄を第４開口部８７内の表示画面に確実に変動表示することができると共に、各結果報知図柄の変動表示を各透かし孔２００、２０１内に対向する表示画面に確実に変動表示することができるため、製造コストの削減化及び回転装飾部材８３の小型化を図ることが可能となる。
【０１３４】
また、リーチ状態で各変動図柄のうち停止した停止図柄がある場合には、ＣＰＵ２８１は、リーチ変動表示の表示パターンを選択し、この選択した表示パターンに対応する表示パターン情報を演出表示基板２６０のＣＰＵ２６１に出力すると共に、該表示パターンに対応する各タイムチャート１５５Ａ〜１５８Ａを回転駆動タイムチャート記憶エリア２８２Ｃから読み出し、この各タイムチャート１５５Ａ〜１５８Ａに従って回転装飾部材８３を回転駆動する。また、ＣＰＵ２６１は、ＣＰＵ２８１から入力された表示パターン情報に対応する表示パターンをＲＯＭ２６２から読み出し、該表示パターンに対応する各タイムチャート１５５Ｂ〜１５８Ｂを回転表示タイムチャート記憶エリア２６２Ｂから読み出す。そして、この各タイムチャート１５５Ｂ〜１５８Ｂに従って、回転座標テーブル記憶エリア２６２Ａに格納されるリーチ時回転変動座標テーブル１６２の「第１図柄表示領域」、「第２図柄表示領域」の各座標データを読み出し、停止表示する第１特別図柄と第２特別図柄とを該「第１図柄表示領域」、「第２図柄表示領域」に表示する。このため、該回転装飾部材８３の回転によって第２開口部６９が第４開口部８７よりもはみ出ても、停止した第１特別図柄と第２特別図柄とを常に各回転位置で停止した回転装飾部材８３の第４開口部８７内の表示画面に確実に表示でき、遊技者の興趣を増大させることができる。
【０１３５】
また、ＣＰＵ２６１は、該表示パターンに対応する各タイムチャート１５５Ｂ〜１５８Ｂを回転表示タイムチャート記憶エリア２６２Ｂから読み出す。そして、この各タイムチャート１５５Ｂ〜１５８Ｂに従って、回転座標テーブル記憶エリア２６２Ａに格納されるリーチ時回転変動座標テーブル１６２から、この回転装飾部材８３の停止した回転位置に対応する「第１付属変動領域座標」と「第２付属変動領域座標」と「スクロール方向」を選択して、各予告キャラクタを第１付属変動領域３００と第２付属変動領域３０１に変動表示する。このため、該回転装飾部材８３の回転によって各透かし孔２００、２０１が第２開口部６９よりもはみ出る、即ち、各予告キャラクタの変動表示が各透かし孔２００、２０１よりもはみ出ても、ＣＰＵ２６１は、各予告キャラクタの変動表示を各透かし孔２００、２０１内に対向する表示画面に確実に変動表示することができ、遊技者の大当たり獲得に対する期待感を高め、興趣を増大させることができる。また、各予告キャラクタは、各タイムチャート１５６Ｂ〜１５８Ｂの９０度リーチ表示における各予告表示の時間Ｔ４６、Ｔ５３、Ｔ６１に各透かし孔２００、２０１内に停止表示されるため、この予告キャラクタを遊技者に確実に認識できるように表示制御することができる。また、遊技者に、予告キャラクタによって複数の変動図柄の最終確定表示態様、即ち大当たりの有・無の予告を明確に報知することが可能となり、遊技者の大当り獲得に対する期待感を向上させることが可能となる。更に、ＣＰＵ２８１から演出表示確定信号が入力された場合には、当該透かし孔２００、２０１内にリーチハズレの場合には「残念」が表示され、大当たりの場合には「当たり」が表示されるため、遊技者にリーチハズレ又は大当たりを確実に報知するように表示制御することができ、遊技者に対して「リーチハズレ」又は「大当たり」の結果を明確に認識できるように報知することができる。
【０１３６】
また、停止表示する第１特別図柄と第２特別図柄とが表示される各第１図柄表示領域１７５Ａ、１７５Ｂ、１７５Ｃ、１７５Ｄと各第２図柄表示領域１７６Ａ、１７６Ｂ、１７６Ｃ、１７６Ｄは、各第３スクロール変動１７７Ａ、１７７Ｂ、１７７Ｃ、１７７Ｄのスクロール方向に沿って配置されるように予め設定されているため、遊技者は停止表示される第１特別図柄と第２特別図柄を容易に認識することができる。また、各第１図柄表示領域１７５Ａ、１７５Ｂ、１７５Ｃ、１７５Ｄと各第２図柄表示領域１７６Ａ、１７６Ｂ、１７６Ｃ、１７６Ｄは、各第３スクロール変動１７７Ａ、１７７Ｂ、１７７Ｃ、１７７Ｄのスクロール方向に沿って配置されるため、この各第１図柄表示領域１７５Ａ、１７５Ｂ、１７５Ｃ、１７５Ｄと各第２図柄表示領域１７６Ａ、１７６Ｂ、１７６Ｃ、１７６Ｄを各第３スクロール変動１７７Ａ、１７７Ｂ、１７７Ｃ、１７７Ｄ上を変動する変動図柄の外側に容易に配置することができ、該各第３スクロール変動１７７Ａ、１７７Ｂ、１７７Ｃ、１７７Ｄ上を変動する変動図柄の表示領域を広くすることができ、演出効果を向上させることができる。
【０１３７】
尚、本発明は、上記実施例に限定されるものではなく、本発明の要旨を逸脱しない範囲内で種々の改良、変形が可能であることは勿論である。
例えば、上記実施例では、回転装飾部材８３を原点位置（０度）からの各回転角度０度、３０度、６０度、９０度で停止させて通常変動表示及びリーチ変動表示を行ったが、原点位置（０度）から各回転角度１度、２度、３度、・・・、８９度、９０度で所定時間（例えば、１秒間〜２秒間である。）停止させて、通常変動表示及びリーチ変動表示を行ってもよい。これにより、各変動図柄の変動表示を回転装飾部材８３の回転に従って滑らかに回転するように表示でき、各変動図柄のよりきめ細かな回転表示制御を確実に行うことが可能となる。
また、例えば、以下のようにしてもよい。
【実施例２】
【０１３８】
（Ａ）上記実施例では、回転装飾部材８３の第４開口部８７と、その前面側に配置される前面側装飾部材４９の第２開口部６９との大きさはほぼ同一であるため、図４０〜図４２及び図４５〜図４７に示すように、回転装飾部材８３の回転に伴って、各変動図柄の変動表示領域、及び第１付属変動領域３００と第２付属変動領域３０１が変化したが、図４９〜図５１に示すように、第２開口部６９を第４開口部８７及び各透かし孔２００、２０１を内側に含むように大きくすると共に液晶表示器１８２の表示画面も該第２開口部６９の大きさとほぼ同一の大きさに拡大してもよい。
【０１３９】
これにより、回転変動座標テーブル記憶エリア２６２Ａに、図４８に示すリーチ時回転変動座標テーブル１８１を予め格納することによって、図４９〜図５１に示すように、ＣＰＵ２６１は、ＣＰＵ２８１から入力された表示パターン情報に対応する表示パターンをＲＯＭ２６２から読み出し、該表示パターンに対応する各タイムチャートを回転表示タイムチャート記憶エリア２６２Ｂから読み出す。そして、ＣＰＵ２６１は、この各タイムチャートに従って、回転座標テーブル記憶エリア２６２Ａに格納されるリーチ時回転変動座標テーブル１８１の「第１図柄表示領域」、「第２図柄表示領域」の各座標データを読み出し、停止表示する第１特別図柄と第２特別図柄とを各第１図柄表示領域１８４Ａ、１８４Ｂ、１８４Ｃと各第２図柄表示領域１８５Ａ、１８５Ｂ、１８５Ｃに表示することができる。
【０１４０】
また、図４９（Ａ）に示すように、ＣＰＵ２６１は、リーチ時回転変動座標テーブル１８１の「第１付属変動領域」、「第２付属変動領域」及び「スクロール方向」の各データを読み出し、予告キャラクタの変動表示を各透かし孔２００、２０１内に表示することができる。また、図４９（Ｂ）に示すように、「４５度リーチ表示」に予告表示時間が設定されている場合には、ＣＰＵ２６１は、ＲＡＭ２６３から予告キャラクタ「大吉」を読み出し、該予告キャラクタに対応する画像データを予告キャラクタ記憶エリア２６２Ｃから読み出して、回転装飾部材８３が原点位置から時計方向に回転角度４５度回転した位置の各透かし孔２００、２０１内に停止表示することができる。そして、図５０（Ｃ）、（Ｄ）に示すように、ＣＰＵ２６１は、第３特別図柄１８６Ｄを停止表示する。その後、図５１（Ｅ）に示すように、ＣＰＵ２６１は、ＣＰＵ２８１から演出表示確定信号が入力された場合には、各透かし孔２００、２０１内に大当たりを報知する「当たり」を表示することができる。
【０１４１】
このため、停止した第１特別図柄と第２特別図柄とを常に回転装飾部材８３の第４開口部８７の全領域に対応する表示画面上に確実に表示できると共に、各第３スクロール変動１８６Ａ、１８６Ｂ、１８６Ｃ上を変動する変動図柄を該第４開口部８７の全領域に対応する表示画面上に確実に表示でき、各変動図柄の回転変動表示の演出効果をより高くして遊技者の興趣を更に増大させることができる。また、回転装飾部材８３の回転に対応して予告キャラクタの変動表示及び停止表示、また、「ハズレ」、「残念」、「当たり」等の結果報知図柄の変動表示及び停止表示を各透かし孔２００、２０１内に対応する表示画面上に常に表示でき、各予告キャラや結果報知図柄の回転変動表示の演出効果をより高くして遊技者の興趣を更に増大させることができると共に、遊技者に対して「ハズレ」又は「大当たり」の結果を明確に認識できるように報知することができる。
【実施例３】
【０１４２】
（Ｂ）上記実施例では、サブ統合制御基板２８０のＣＰＵ２８１が、Ｓ１〜Ｓ３及びＳ１０１〜Ｓ１０３の処理を実行して主制御基板２９０のＣＰＵ２９１から入力された指示信号に対応する表示パターンを選択すると共に、Ｓ４〜Ｓ１３及びＳ１０４〜Ｓ１１３の処理を実行して駆動回路１４３を介して回転用モータ１２５を駆動制御しているが、ワンチップ・マイコン等とこの駆動回路１４３を搭載した回転制御用基板をサブ統合制御基板２８０とは別体に設け、ＣＰＵ２８１がＳ１〜Ｓ３及びＳ１０１〜Ｓ１０３の処理を実行して選択した表示パターンに基づいて、この回転制御用基板に搭載したワンチップ・マイコン等が上記Ｓ４〜Ｓ１３及びＳ１０４〜Ｓ１１３の処理を実行して駆動回路１４３を介して回転用モータ１２５を駆動制御する構成にしてもよい。
【図面の簡単な説明】
【０１４３】
【図１】本実施例に係るパチンコ機全体を示した正面側斜視図である。
【図２】本実施例に係るパチンコ機全体を示した背面側斜視図である。
【図３】本実施例に係るパチンコ機の遊技盤を示す正面図である。
【図４】本実施例に係るパチンコ機の遊技盤に取り付けられる特別図柄表示装置を示した分解側断面図である。
【図５】本実施例に係るパチンコ機の特別図柄表示装置の前側装飾部材を示した正面側斜視図である。
【図６】本実施例に係るパチンコ機の特別図柄表示装置の前側装飾部材を示した背面側斜視図である。
【図７】本実施例に係るパチンコ機の特別図柄表示装置の裏側装飾部材を示した分解斜視図である。
【図８】本実施例に係るパチンコ機の特別図柄表示装置の裏側装飾部材を示した正面図である。
【図９】本実施例に係るパチンコ機の特別図柄表示装置の裏側装飾部材を示した背面図である。
【図１０】本実施例に係るパチンコ機の特別図柄表示装置の裏側装飾部材を示した正面側斜視図である。
【図１１】本実施例に係るパチンコ機の特別図柄表示装置の裏側装飾部材を示した背面側斜視図である。
【図１２】本実施例に係るパチンコ機の特別図柄表示装置の裏側装飾部材における各フレキシブルプリント配線の配線状態を模式的に示す背面図である。
【図１３】図１２における上側の電飾回路基板に接続されるフレキシブルプリント配線の回転装飾部材の回転に伴う折り返し状態を模式的に示す図で、（Ａ）は回転装飾部材が原点位置の折り返し状態、（Ｂ）は回転装飾部材が時計方向に４５度回転した位置の折り返し状態、（Ｃ）は回転装飾部材が時計方向に９０度回転した位置の折り返し状態、（Ｄ）は回転装飾部材が時計方向に１３５度回転した位置の折り返し状態の一例を示す図である。
【図１４】図１２における下側の電飾回路基板に接続されるフレキシブルプリント配線の回転装飾部材の回転に伴う折り返し状態を模式的に示す図で、（Ａ）は回転装飾部材が原点位置の折り返し状態、（Ｂ）は回転装飾部材が時計方向に４５度回転した位置の折り返し状態、（Ｃ）は回転装飾部材が時計方向に９０度回転した位置の折り返し状態、（Ｄ）は回転装飾部材が時計方向に１３５度回転した位置の折り返し状態の一例を示す図である。
【図１５】図１３と図１４を重ね合わせた各フレキシブルプリント配線の折り返し状態を模式的に示す図で、（Ａ）は回転装飾部材が原点位置の折り返し状態、（Ｂ）は回転装飾部材が時計方向に４５度回転した位置の折り返し状態、（Ｃ）は回転装飾部材が時計方向に９０度回転した位置の折り返し状態、（Ｄ）は回転装飾部材が時計方向に１３５度回転した位置の折り返し状態の一例を示す図である。
【図１６】本実施例に係るパチンコ機の裏側装飾部材を構成する回転装飾部材が原点位置に位置している場合の、回転装飾部材と各フォトセンサとの位置関係を模式的に示す正面図である。
【図１７】本実施例に係るパチンコ機の裏側装飾部材を構成する回転装飾部材が時計方向に９０度回転した場合の、回転装飾部材と各フォトセンサとの位置関係を模式的に示す正面図である。
【図１８】本実施例に係るパチンコ機の裏側装飾部材を構成する回転装飾部材が時計方向に１８０度回転した場合の、回転装飾部材と各フォトセンサとの位置関係を模式的に示す正面図である。
【図１９】本実施例に係るパチンコ機の裏側装飾部材を構成する回転装飾部材を原点位置から時計方向に４５度回転した場合における遊技盤を示す正面図である。
【図２０】本実施例に係るパチンコ機の裏側装飾部材を構成する回転装飾部材を原点位置から時計方向に９０度回転した場合における遊技盤を示す正面図である。
【図２１】本実施例に係るパチンコ機の裏側装飾部材を構成する回転装飾部材を原点位置から時計方向に１３５度回転した場合における遊技盤を示す正面図である。
【図２２】本実施例に係るパチンコ機の駆動制御に係る制御システムの構成を示すブロック図である。
【図２３】本実施例に係るパチンコ機の主制御基板のＲＡＭの構成を示すブロック図である。
【図２４】本実施例に係るパチンコ機のサブ統合制御基板のＲＡＭの構成を示すブロック図である。
【図２５】本実施例に係るパチンコ機のサブ統合制御基板のＲＯＭの構成を示すブロック図である。
【図２６】本実施例に係るパチンコ機の演出表示基板のＲＯＭの構成を示すブロック図である。
【図２７】本実施例に係るパチンコ機のサブ統合制御基板のＲＯＭのフォトセンサ出力テーブル記憶エリアに格納されるフォトセンサ出力テーブルの一例を示す図である。
【図２８】本実施例に係るパチンコ機のサブ統合制御基板のＲＯＭの表示パターンテーブル記憶エリアに格納される通常変動表示パターンテーブルの一例を示す図である。
【図２９】本実施例に係るパチンコ機のサブ統合制御基板のＲＯＭの表示パターンテーブル記憶エリアに格納されるリーチ変動表示パターンテーブルの一例を示す図である。
【図３０】本実施例に係るパチンコ機のサブ統合制御基板のＲＯＭの回転駆動タイムチャート記憶エリアに格納されて、回転装飾部材を通常変動表示時に各表示パターンに対応して回転駆動する駆動タイミングを決定するタイムチャートの一例を示す図で、（Ａ）は表示パターンＡ１に対応するタイムチャート、（Ｂ）は表示パターンＢ１に対応するタイムチャート、（Ｃ）は表示パターンＣ１に対応するタイムチャート、（Ｄ）は表示パターンＤ１に対応するタイムチャートである。
【図３１】本実施例に係るパチンコ機のサブ統合制御基板のＲＯＭの回転駆動タイムチャート記憶エリアに格納されて、回転装飾部材をリーチ変動表示時に各表示パターンに対応して回転駆動する駆動タイミングを決定するタイムチャートの一例を示す図で、（Ａ）は表示パターンＡ２に対応するタイムチャート、（Ｂ）は表示パターンＢ２に対応するタイムチャート、（Ｃ）は表示パターンＣ２に対応するタイムチャート、（Ｄ）は表示パターンＤ２に対応するタイムチャートである。
【図３２】本実施例に係るパチンコ機の演出表示基板のＲＯＭの回転表示タイムチャート記憶エリアに格納されて、通常変動表示時に各表示パターンに対応して回転装飾部材の各回転停止位置に対応する変動表示態様を決定するタイムチャートの一例を示す図で、（Ａ）は表示パターンＡ１に対応するタイムチャート、（Ｂ）は表示パターンＢ１に対応するタイムチャート、（Ｃ）は表示パターンＣ１に対応するタイムチャート、（Ｄ）は表示パターンＤ１に対応するタイムチャートである。
【図３３】本実施例に係るパチンコ機の演出表示基板のＲＯＭの回転表示タイムチャート記憶エリアに格納されて、リーチ変動表示時に各表示パターンに対応して回転装飾部材の各回転停止位置に対応する変動表示態様を決定するタイムチャートの一例を示す図で、（Ａ）は表示パターンＡ２に対応するタイムチャート、（Ｂ）は表示パターンＢ２に対応するタイムチャート、（Ｃ）は表示パターンＣ２に対応するタイムチャート、（Ｄ）は表示パターンＤ２に対応するタイムチャートである。
【図３４】本実施例に係るパチンコ機の演出表示基板のＲＯＭの回転変動座標テーブル記憶エリアに格納される通常回転変動座標テーブルの一例を示す図である。
【図３５】本実施例に係るパチンコ機の演出表示基板のＲＯＭの回転変動座標テーブル記憶エリアに格納されるリーチ時回転変動座標テーブルの一例を示す図である。
【図３６】本実施例に係るパチンコ機のサブ統合制御基板のＣＰＵが、回転装飾部材を原点位置（０度）から時計方向約９０度まで回転駆動する際に、各回転角度での通常変動表示時に実行する「通常回転変動処理」のサブ処理を示すサブフローチャートである。
【図３７】本実施例に係るパチンコ機のサブ統合制御基板のＣＰＵが、回転装飾部材を各角度に回転駆動する際に実行する「Ｎ度回転処理」のサブ処理を示すサブフローチャートである。
【図３８】本実施例に係るパチンコ機のサブ統合制御基板のＣＰＵが、回転装飾部材を時計方向約９０度まで回転した位置から反時計方向に原点位置（０度）まで回転駆動する際に実行する「９０度〜０度回転処理」のサブ処理を示すサブフローチャートである。
【図３９】本実施例に係るパチンコ機の演出表示基板のＣＰＵが、サブ統合制御基板のＣＰＵから通常変動表示に対応する表示パターンの変動表示の指示をされた場合に実行する「回転変動表示処理」のサブ処理を示すサブフローチャートである。
【図４０】本実施例に係るパチンコ機の通常変動表示時に回転装飾部材の回転角度に合わせて各変動図柄のスクロール方向を変更して表示する一例を示す図で、（Ａ）は回転装飾部材が原点位置（０度）、（Ｂ）は回転装飾部材が原点位置から時計方向に３０度回転した図である。
【図４１】本実施例に係るパチンコ機の通常変動表示時に回転装飾部材の回転角度に合わせて各変動図柄のスクロール方向を変更して表示する一例を示す図で、（Ｃ）は回転装飾部材が原点位置から時計方向に６０度回転、（Ｄ）は回転装飾部材が原点位置から時計方向に９０度回転した図である。
【図４２】本実施例に係るパチンコ機の通常変動表示時に回転装飾部材の回転角度に合わせて各変動図柄のスクロール方向を変更して表示する一例を示す図で、（Ｅ）は回転装飾部材が原点位置から時計方向に９０度回転した状態で第１図柄が停止した状態を示す図、（Ｆ）は（Ｅ）に続いて第２図柄が停止した状態を示す図、（Ｇ）は（Ｆ）に続いて第３図柄が停止後、演出表示確定信号が入力されて第１図柄〜第３図柄が確定停止されると共に、第１付属変動領域と第２付属変動領域にハズレの結果報知表示がされた状態を示す図である。
【図４３】本実施例に係るパチンコ機のサブ統合制御基板のＣＰＵが、回転装飾部材を原点位置（０度）から時計方向約９０度まで回転駆動する際に、各回転角度でのリーチ時変動表示時に実行する「リーチ回転変動処理」のサブ処理を示すサブフローチャートである。
【図４４】本実施例に係るパチンコ機の演出表示基板のＣＰＵが、サブ統合制御基板のＣＰＵからリーチ変動表示に対応する表示パターンの変動表示の指示をされた場合に実行する「回転リーチ表示処理」のサブ処理を示すサブフローチャートである。
【図４５】本実施例に係るパチンコ機のリーチ変動表示時に回転装飾部材の回転角度に合わせて変動図柄のスクロール方向を変更して表示する一例を示す図で、（Ａ）は回転装飾部材が原点位置（０度）、（Ｂ）は（Ａ）に続いて回転装飾部材が原点位置から時計方向に３０度回転した図である。
【図４６】本実施例に係るパチンコ機のリーチ変動表示時に回転装飾部材の回転角度に合わせて変動図柄のスクロール方向を変更して表示する一例を示す図で、（Ｃ）は（Ｂ）に続いて回転装飾部材が原点位置から時計方向に６０度回転、（Ｄ）は（Ｃ）に続いて回転装飾部材が原点位置から時計方向に９０度回転した図である。
【図４７】本実施例に係るパチンコ機のリーチ変動表示時に回転装飾部材の回転角度に合わせて変動図柄のスクロール方向を変更して表示する一例を示す図で、（Ｅ）は（Ｄ）に続いて第１付属変動領域と第２付属変動領域に予告表示がされた状態を示す図、（Ｆ）は（Ｅ）に続いて第３特別図柄が停止表示された状態を示す図、（Ｇ）は（Ｆ）に続いて演出表示確定信号が入力されて第１特別図柄〜第３特別図柄が確定表示されると共に第１付属変動領域と第２付属変動領域に大当たりの結果報知表示がされた状態を示す図である。
【図４８】他の実施例に係るパチンコ機の演出表示基板のＲＯＭの回転変動座標テーブル記憶エリアに格納されるリーチ時回転変動座標テーブルの一例を示す図である。
【図４９】他の実施例に係るパチンコ機のリーチ変動表示時に回転装飾部材の回転角度に合わせて変動図柄のスクロール方向を変更して表示する一例を示す図で、（Ａ）は回転装飾部材が原点位置（０度）、（Ｂ）は（Ａ）に続いて回転装飾部材が原点位置から時計方向に４５度回転して、第１付属変動領域と第２付属変動領域に予告表示がされた状態を示す図である。
【図５０】他の実施例に係るパチンコ機のリーチ変動表示時に回転装飾部材の回転角度に合わせて変動図柄のスクロール方向を変更して表示する一例を示す図で、（Ｃ）は（Ｂ）に続いて回転装飾部材が原点位置から時計方向に９０度回転した状態、（Ｄ）は（Ｃ）に続いて第３特別図柄が停止表示された状態を示す図である。
【図５１】他の実施例に係るパチンコ機のリーチ変動表示時に回転装飾部材の回転角度に合わせて変動図柄のスクロール方向を変更して表示する一例を示す図で、（Ｅ）は（Ｄ）に続いて演出表示確定信号が入力されて第１特別図柄〜第３特別図柄が確定表示されると共に第１付属変動領域と第２付属変動領域に大当たりの結果報知表示がされた状態を示す図である。
【符号の説明】
【０１４４】
１                  パチンコ機
４１                遊技盤
４２                遊技領域
４７                第１開口部
４８                特別図柄表示装置
４９                前側装飾部材
５０                裏側装飾部材
５１                取付カバー部材
５２、１８２        液晶表示器（ＬＣＤ）
６９                第２開口部
８１                第３開口部
８２                枠部材
８３                回転装飾部材
８４                回転カバー部材
８７                第４開口部
１００、１０１      電飾部
１００Ａ、１０１Ａ  電飾ランプカバー
１００Ｂ、１０１Ｂ  電飾回路基板
ＳＷ１、ＳＷ２      フォトセンサ
２００、２０１      透かし孔
２６０              演出表示基板
２６１、２８１、２９１      ＣＰＵ
２６２、２８２、２９２      ＲＯＭ
２６２Ａ            回転変動座標テーブル記憶エリア
２６２Ｂ            回転表示タイムチャート記憶エリア
２６２Ｃ            予告キャラクタ記憶エリア
２６３、２８３、２９３      ＲＡＭ
２８０              サブ統合制御基板
２８２Ｂ            表示パターンテーブル記憶エリア
２８２Ｃ            回転駆動タイムチャート記憶エリア
２９０              主制御基板
３００              第１付属変動領域
３０１              第２付属変動領域
【図１】
2006296652.tif 000003
【図２】
2006296652.tif 000004
【図３】
2006296652.tif 000005
【図４】
2006296652.tif 000006
【図５】
2006296652.tif 000007
【図６】
2006296652.tif 000008
【図７】
2006296652.tif 000009
【図８】
2006296652.tif 000010
【図９】
2006296652.tif 000011
【図１０】
2006296652.tif 000012
【図１１】
2006296652.tif 000013
【図１２】
2006296652.tif 000014
【図１３】
2006296652.tif 000015
【図１４】
2006296652.tif 000016
【図１５】
2006296652.tif 000017
【図１６】
2006296652.tif 000018
【図１７】
2006296652.tif 000019
【図１８】
2006296652.tif 000020
【図１９】
2006296652.tif 000021
【図２０】
2006296652.tif 000022
【図２１】
2006296652.tif 000023
【図２２】
2006296652.tif 000024
【図２３】
2006296652.tif 000025
【図２４】
2006296652.tif 000026
【図２５】
2006296652.tif 000027
【図２６】
2006296652.tif 000028
【図２７】
2006296652.tif 000029
【図２８】
2006296652.tif 000030
【図２９】
2006296652.tif 000031
【図３０】
2006296652.tif 000032
【図３１】
2006296652.tif 000033
【図３２】
2006296652.tif 000034
【図３３】
2006296652.tif 000035
【図３４】
2006296652.tif 000036
【図３５】
2006296652.tif 000037
【図３６】
2006296652.tif 000038
【図３７】
2006296652.tif 000039
【図３８】
2006296652.tif 000040
【図３９】
2006296652.tif 000041
【図４０】
2006296652.tif 000042
【図４１】
2006296652.tif 000043
【図４２】
2006296652.tif 000044
【図４３】
2006296652.tif 000045
【図４４】
2006296652.tif 000046
【図４５】
2006296652.tif 000047
【図４６】
2006296652.tif 000048
【図４７】
2006296652.tif 000049
【図４８】
2006296652.tif 000050
【図４９】
2006296652.tif 000051
【図５０】
2006296652.tif 000052
【図５１】
2006296652.tif 000053